(57)【要約】【課題】適切なタイミングで機器の機能が使用可能な状況である旨をユーザに通知する【解決手段】電子機器１は、自機器あるいは自機器とは異なる他の機器が有する機能であって、機器の使用状況に応じて使用可否が変更される機能に関する情報である機能情報、または、機能情報を外部から取得するための機能取得情報が記録された磁気ディスクから、機能情報または機能取得情報を読み出して再生制御する再生制御部２２と、再生制御部２２が磁気ディスクから読み出した機能情報、または、再生制御部２２が磁気ディスクから読み出した機能取得情報に対応する機能情報のうち、ユーザが指定した機能情報が示す機能が使用可能な状況である場合に、当該機能が使用可能であることを通知させるために、当該ユーザが指定した機能情報を登録情報として記録する登録情報記録部２３１と、を備える。【選択図】図１
2011086332.tif 000002
【特許請求の範囲】
【請求項１】
自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体から、当該機能情報または当該機能取得情報を読み出して再生制御する再生制御手段と、
上記再生制御手段が上記第１情報記録媒体から読み出した機能情報、または、上記再生制御手段が上記第１情報記録媒体から読み出した機能取得情報に対応する機能情報のうち、ユーザが指定した機能情報が示す機能が使用可能な状況である場合に、当該機能が使用可能であることを通知させるために、当該ユーザが指定した機能情報、または、当該ユーザが指定した機能情報を特定可能な情報を登録情報として記録する登録情報記録手段と、を備えることを特徴とする電子機器。
【請求項２】
上記登録情報記録手段により記録された登録情報が示す機能が使用可能であるか否かを判定する判定手段と、
上記判定手段により上記機能が使用可能な状況であると判定された場合に、当該機能が使用可能であることを通知させる通知制御手段と、を備えることを特徴とする請求項１に記載の電子機器。
【請求項３】
上記再生制御手段が読み出した機能情報、または、上記再生制御手段が読み出した機能取得情報に対応する機能情報を提示させる提示制御手段を備えることを特徴とする請求項１または２に記載の電子機器。
【請求項４】
上記登録情報記録手段は、上記第１情報記録媒体に上記登録情報を記録することを特徴とする請求項１から３の何れか１項に記載の電子機器。
【請求項５】
上記第１情報記録媒体は、上記機能情報または上記機能取得情報が記録された、情報を読み出すことが可能な再生専用領域と、情報を記録することが可能な記録可能領域とを備え、
上記再生制御手段は、上記再生専用領域から上記機能情報または上記機能取得情報を読み出すことを特徴とする請求項１から４の何れか１項に記載の電子機器。
【請求項６】
上記登録情報記録手段は、上記機能情報または上記機能取得情報が記録された第１情報記録媒体とは異なる第２情報記録媒体に、上記登録情報を記録することを特徴とする請求項１から３の何れか１項に記載の電子機器。
【請求項７】
上記登録情報記録手段は、上記登録情報を、自機器を利用するユーザを識別するための個人識別情報と対応付けて記録することを特徴とする請求項１から６の何れか１項に記載の電子機器。
【請求項８】
上記第１情報記録媒体には、複数の機器の機能情報、または、当該複数の機器の機能情報それぞれを外部から取得するための複数の機能取得情報が記録されており、
上記再生制御手段が読み出した複数の機器の機能情報から選択された機能情報、または、上記再生制御手段が読み出した複数の機能取得情報に対応する複数の機能情報から選択された機能情報を提示させる提示制御手段を備えることを特徴とする請求項１から７の何れか１項に記載の電子機器。
【請求項９】
上記第１情報記録媒体に記録されている機能情報は、上記第１情報記録媒体の出荷時に記録された機能情報、上記機能取得情報に対応する機能情報、または、当該機能情報が更新されたときに当該機能情報の一部として追加される追加情報の少なくとも１つを含むことを特徴とする請求項１から８の何れか１項に記載の電子機器。
【請求項１０】
自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体には、当該機能情報、または、当該機能取得情報に対応する機能情報のうち、ユーザが指定した機能情報、または、ユーザが指定した機能情報を特定可能な情報である登録情報が記録されており、
上記第１情報記録媒体から、上記登録情報を読み出して再生制御する第２再生制御手段と、
上記第２再生制御手段が読み出した登録情報が示す機能が使用可能であるか否かを判定する第２判定手段と、
上記第２判定手段により上記機能が使用可能な状況であると判定された場合に、当該機能が使用可能であることを通知させる第２通知制御手段と、を備えることを特徴とする電子機器。
【請求項１１】
自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体とは異なる第２情報記録媒体に、当該機能情報、または、当該機能取得情報に対応する機能情報のうち、ユーザが指定した機能情報、または、ユーザが指定した機能情報を特定可能な情報である登録情報が記録されており、
上記第２情報記録媒体から、上記登録情報を読み出して再生制御する第２再生制御手段と、
上記第２再生制御手段が読み出した登録情報が示す機能が使用可能であるか否かを判定する第２判定手段と、
上記第２判定手段により上記機能が使用可能な状況であると判定された場合に、当該機能が使用可能であることを通知させる第２通知制御手段と、を備えることを特徴とする電子機器。
【請求項１２】
請求項１に記載の電子機器を備える記録再生装置。
【請求項１３】
請求項１０または１１に記載の電子機器を備える再生装置。
【請求項１４】
請求項１から１１の何れか１項に記載の電子機器に用いられる情報記録媒体であって、
上記機能情報または上記機能取得情報が記録されているとともに、上記登録情報が記録可能であることを特徴とする情報記録媒体。
【請求項１５】
情報を読み出すことが可能な再生専用領域と、情報を記録することが可能な記録可能領域とを備え、
上記再生専用領域には上記機能情報または上記機能取得情報が記録されていることを特徴とする請求項１４に記載の情報記録媒体。
【請求項１６】
自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体から、当該機能情報または当該機能取得情報を読み出して再生制御する再生制御ステップと、
上記再生制御ステップが上記第１情報記録媒体から読み出した機能情報、または、上記再生制御ステップが上記第１情報記録媒体から読み出した機能取得情報に対応する機能情報のうち、ユーザが指定した機能情報が示す機能が使用可能な状況である場合に、当該機能が使用可能であることを通知させるために、当該ユーザが指定した機能情報、または、当該ユーザが指定した機能情報を特定可能な情報を登録情報として記録する登録情報記録ステップと、を含むことを特徴とする電子機器の制御方法。
【請求項１７】
自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体には、当該機能情報、または、当該機能取得情報に対応する機能情報のうち、ユーザが指定した機能情報、または、当該ユーザが指定した機能情報を特定可能な情報である登録情報が記録されており、
上記第１情報記録媒体から、上記登録情報を読み出して再生制御する第２再生制御ステップと、
上記第２再生制御ステップに読み出された登録情報が示す機能が使用可能であるか否かを判定する第２判定ステップと、
上記第２判定ステップにより上記機能が使用可能な状況であると判定された場合に、当該機能が使用可能であることを通知させる第２通知制御ステップと、を含むことを特徴とする電子機器の制御方法。
【請求項１８】
自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体とは異なる第２情報記録媒体に、当該機能情報、または、当該機能取得情報に対応する機能情報のうち、ユーザが指定した機能情報、または、当該ユーザが指定した機能情報を特定可能な情報である登録情報が記録されており、
上記第２情報記録媒体から、上記登録情報を読み出して再生制御する第２再生制御ステップと、
上記第２再生制御ステップにより読み出された登録情報が示す機能が使用可能であるか否かを判定する第２判定ステップと、
上記第２判定ステップにより上記機能が使用可能な状況であると判定された場合に、当該機能が使用可能であることを通知させる第２通知制御ステップと、を含むことを特徴とする電子機器の制御方法。
【請求項１９】
請求項２に記載の電子機器の各手段を備える記録再生装置であって、
外部から取得した取得情報を記録することが可能な第３情報記録媒体に、当該取得情報を記録する取得情報記録手段を備え、
上記取得情報記録手段が上記第３情報記録媒体に記録した取得情報に対する制御が行われる場合に、
上記判定手段は、上記登録情報記録手段により記録された登録情報が示す機能が使用可能な状況にあるか否かを判定し、
上記通知制御手段は、上記判定手段により上記機能が使用可能な状況であると判定された場合に、当該機能が使用可能であることを通知させることを特徴とする記録再生装置。
【請求項２０】
上記登録情報記録手段は、上記第３情報記録媒体に上記登録情報を記録することを特徴とする請求項１９に記載の記録再生装置。
【請求項２１】
上記第３情報記録媒体は、自装置から取り外し可能であることを特徴とする請求項１９または２０に記載の記録再生装置。
【請求項２２】
請求項２に記載の電子機器の各手段を備える記録再生装置であって、
上記第１情報記録媒体に、外部から取得した取得情報を記録する取得情報記録手段を備え、
上記取得情報記録手段が上記第１情報記録媒体に記録した取得情報に対する制御が行われる場合に、
上記判定手段は、上記登録情報記録手段により記録された登録情報が示す機能が使用可能な状況にあるか否かを判定し、
上記通知制御手段は、上記判定手段により上記機能が使用可能な状況であると判定された場合に、当該機能が使用可能であることを通知させることを特徴とする記録再生装置。
【請求項２３】
上記登録情報記録手段は、上記第１情報記録媒体に上記登録情報を記録することを特徴とする請求項２２に記載の記録再生装置。
【請求項２４】
上記再生制御手段が読み出した機能情報、または、上記再生制御手段が読み出した機能取得情報に対応する機能情報を提示させる提示制御手段を備えることを特徴とする請求項１９から２３の何れか１項に記載の記録再生装置。
【請求項２５】
請求項２０に記載の記録再生装置により登録情報および取得情報が記録された第３情報記録媒体に対して情報の再生を行う再生装置であって、
上記第３情報記録媒体から、上記登録情報を読み出して再生制御する第２再生制御手段と、
上記取得情報記録手段が上記第３情報記録媒体に記録した取得情報に対する制御が行われる場合に、上記第２再生制御手段により記録された登録情報が示す機能が使用可能な状況にあるか否かを判定する第２判定手段と、
上記第２判定手段により上記機能が使用可能な状況であると判定された場合に、当該機能が使用可能であることを通知させる第２通知制御手段と、を備えることを特徴とする再生装置。
【請求項２６】
請求項２３に記載の記録再生装置により登録情報および取得情報が記録された第１情報記録媒体に対して情報の再生を行う再生装置であって、
上記第１情報記録媒体から、上記登録情報を読み出して再生制御する第２再生制御手段と、
上記取得情報記録手段が上記第１情報記録媒体に記録した取得情報に対する制御が行われる場合に、上記第２再生制御手段により記録された登録情報が示す機能が使用可能な状況にあるか否かを判定する第２判定手段と、
上記第２判定手段により上記機能が使用可能な状況であると判定された場合に、当該機能が使用可能であることを通知させる第２通知制御手段と、を備えることを特徴とする再生装置。
【請求項２７】
請求項１９から２４の何れか１項に記載の記録再生装置、または、請求項２５もしくは２６に記載の再生装置に用いられる情報記録媒体であって、
上記機能情報または上記機能取得情報が記録されているとともに、上記登録情報および上記取得情報が記録可能であることを特徴とする情報記録媒体。
【請求項２８】
情報を読み出すことが可能な再生専用領域と、情報を記録することが可能な記録可能領域とを備え、
上記再生専用領域には上記機能情報または上記機能取得情報が記録されていることを特徴とする請求項２７に記載の情報記録媒体。
【請求項２９】
外部から取得した取得情報を記録することが可能な第３情報記録媒体を有する記録再生装置の制御方法であって、
自装置あるいは自装置とは異なる他の装置が有する機能であって、装置の使用状況に応じて使用可否が変更される機能に関する情報である機能情報、または、当該機能情報を外部から取得するための機能取得情報が記録された第１情報記録媒体から、当該機能情報または当該機能取得情報を読み出して再生制御する再生制御ステップと、
上記再生制御ステップにより上記第１情報記録媒体から読み出された機能情報、または、上記再生制御ステップにより上記情報記録媒体から読み出された機能取得情報に対応する機能情報のうち、ユーザが指定した機能情報、または、当該ユーザが指定した機能情報を特定可能な情報を登録情報として記録する登録情報記録ステップと、
上記第３情報記録媒体に上記取得情報を記録する取得情報記録ステップと、
上記取得情報記録ステップにより上記第３情報記録媒体に記録された取得情報に対する制御が行われる場合に、上記登録情報記録ステップにより記録された登録情報が示す機能が使用可能な状況にあるか否かを判定する判定ステップと、
上記判定ステップにより上記機能が使用可能な状況であると判定された場合に、当該機能が使用可能であることを通知させる通知制御ステップと、を含むことを特徴とする記録再生装置の制御方法。
【請求項３０】
自装置あるいは自装置とは異なる他の装置が有する機能であって、装置の使用状況に応じて使用可否が変更される機能に関する情報である機能情報、または、当該機能情報を外部から取得するための機能取得情報が記録され、かつ、外部から取得した取得情報を記録することが可能な第１情報記録媒体を有する記録再生装置の制御方法であって、
上記第１情報記録媒体から、上記機能情報または上記機能取得情報を読み出して再生制御する再生制御ステップと、
上記再生制御ステップにより上記第１情報記録媒体から読み出された機能情報、または、上記再生制御ステップにより上記情報記録媒体から読み出された機能取得情報に対応する機能情報のうち、ユーザが指定した機能情報、または、当該ユーザが指定した機能情報を特定可能な情報を登録情報として記録する登録情報記録ステップと、
上記第１情報記録媒体に上記取得情報を記録する取得情報記録ステップと、
上記取得情報記録ステップにより上記第１情報記録媒体に記録された取得情報に対する制御が行われる場合に、上記登録情報記録ステップにより記録された登録情報が示す機能が使用可能な状況にあるか否かを判定する判定ステップと、
上記判定ステップにより上記機能が使用可能な状況であると判定された場合に、当該機能が使用可能であることを通知させる通知制御ステップと、を含むことを特徴とする記録再生装置の制御方法。
【発明の詳細な説明】
【技術分野】
【０００１】
本発明は、自機器あるいは自機器とは異なる他の機器が有する機能が使用可能な状況である旨を、適切なタイミングでユーザに通知可能な電子機器などに関するものである。
【背景技術】
【０００２】
近年、家電製品やＰＣ（Personal Computer）などの電子機器が有する機能の説明が記載された取扱説明書（マニュアル）や、辞書、参考書、用語集など、従来、紙媒体で提供されていた書物が電子化され、ＰＣや光ディスクなどの記録媒体に記録されることが多くなってきた。これらの書物が電子化されることにより、容易に複製が可能となり、また、削除や変更などの編集を容易に行うことができるなど、紙媒体よりも利便性が向上した。また、ユーザが任意の機能、用語などを確認する際に、紙媒体のように他のページをめくることなく、当該機能の説明などが記載されたページを容易に開くことが可能である。このような電子化された書物を利用する際の技術として、特許文献１および２が挙げられる。
【０００３】
特許文献１には、固定情報をスタンピングにより記録させた読み取り専用のＲＯＭ（（Read Only Memory）領域と、少なくとも固定情報に対するアンダーラインや注釈などの付加情報を記憶させる書き換え可能なＲＡＭ領域を備えたパーシャルＲＯＭ光磁気ディスク媒体が開示されている。固定情報とは、マニュアル、辞書、参考書、用語集などのデータ（電子化された書物）を指す。このディスク媒体をコンピュータに装填することにより、電子化された書物に自由に情報を書き込むことができる。
【０００４】
また、特許文献２には、ユーザインタフェース手段を介して、記録装置の機能の中からユーザが任意に選択した機能の解説を当該ユーザに対して行う機能と、記録装置のセットアップ後にユーザが未使用の機能を優先的に当該ユーザに案内する機能とを実現するためのユーザ支援プログラムが開示されている。具体的には、解説途中の機能がある場合には、当該機能を機能解説対象として選択し、その機能概要を当該ユーザに表示する。一方、解説途中の機能がない場合には、当該ユーザの過去の使用状況から優先順位の高い機能を機能解説対象として選択し、その機能概要を当該ユーザに表示する。これにより、ユーザは特に意識することなく、使用したことがない機能または未知の機能の存在、および、その機能の詳細な内容を知る機会を得ることができるので、記録装置が有する全ての機能を簡単かつ有効に使いこなすことができる。
【先行技術文献】
【特許文献】
【０００５】
【特許文献１】特開平６−１１９６７２号公報（１９９４年４月２８日公開）
【特許文献２】特開２００７−２９３７６２号公報（２００７年１１月８日公開）
【発明の概要】
【発明が解決しようとする課題】
【０００６】
しかしながら、特許文献１および２の技術では、電子機器に記録された取扱説明書に記載された機能を有効に利用できる場面であったとしても、ユーザがその機能の内容について忘れてしまい、当該機能の存在や機能の利用場面がわからなくなってしまった場合には、当該場面においてその機能を発揮させることができない。すなわち、機器の取扱説明書に記載された機能について、ユーザが後にその機能を利用するときの支援が十分ではなく、必要性が生じない限りその機能が利用されなくなってしまう。
【０００７】
特に、近年の電子機器の機能は多岐にわたるため、ユーザが一度確認しただけで、全ての機能の内容や利用場面を適切に把握することは困難であり、ユーザが利用したい機能の存在を忘れてしまったり、その機能の使い方を忘れてしまうといった状況が発生する可能性が高い。
【０００８】
つまり、特許文献１および２の技術では、複数回にわたって機能を利用するユーザに対する支援について想定されていないので、機能の利用場面に即して（すなわち適切なタイミングで）当該機能をユーザに通知することが困難であった。
【０００９】
本発明は、上記の問題を解決するためになされたもので、その目的は、適切なタイミングで機器の機能が使用可能な状況である旨をユーザに通知することが可能な電子機器、記録再生装置、再生装置、電子機器の制御方法、記録再生装置の制御方法および情報記録媒体を提供することにある。
【課題を解決するための手段】
【００１０】
本発明に係る電子機器は、上記の課題を解決するために、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体から、当該機能情報または当該機能取得情報を読み出して再生制御する再生制御手段と、上記再生制御手段が上記第１情報記録媒体から読み出した機能情報、または、上記再生制御手段が上記第１情報記録媒体から読み出した機能取得情報に対応する機能情報のうち、ユーザが指定した機能情報が示す機能が使用可能な状況である場合に、当該機能が使用可能であることを通知させるために、当該ユーザが指定した機能情報、または、当該ユーザが指定した機能情報を特定可能な情報を登録情報として記録する登録情報記録手段と、を備えることを特徴としている。
【００１１】
また、本発明に係る電子機器の制御方法は、上記の課題を解決するために、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体から、当該機能情報または当該機能取得情報を読み出して再生制御する再生制御ステップと、上記再生制御ステップが上記第１情報記録媒体から読み出した機能情報、または、上記再生制御ステップが上記第１情報記録媒体から読み出した機能取得情報に対応する機能情報のうち、ユーザが指定した機能情報が示す機能が使用可能な状況である場合に、当該機能が使用可能であることを通知させるために、当該ユーザが指定した機能情報、または、当該ユーザが指定した機能情報を特定可能な情報を登録情報として記録する登録情報記録ステップと、を含むことを特徴としている。
【００１２】
上記構成によれば、登録情報記録手段（登録情報記録ステップ）は、再生制御手段（再生制御ステップ）が読み出した機能情報、または、機能取得情報に対応する機能情報のうち、ユーザが指定した機能情報、または、ユーザが指定した機能情報を特定可能な情報を登録情報として記録する。この登録情報は、ユーザが指定した機能情報が示す機能が使用可能な状況である場合に、当該機能が使用可能であることを通知させるために記録されるものである。
【００１３】
これにより、電子機器または他の機器において、機能情報（例えば取扱説明書）に示される機能の利用場面に即して（すなわち適切なタイミングで）その機能が使用可能ならば、その旨をユーザに通知させる（ユーザ支援を行う）ことができる。このため、機能が利用可能な場面において、ユーザが当該機能を使い損なうことがないようにすることができる。例えばユーザがその機能の内容について忘れてしまい、当該機能の存在や機能の利用場面がわからなくなっていたとしても、その場面において便利な機能が利用されず無駄になるといった状況を回避することができる。
【００１４】
なお、第１情報記録媒体は、光ディスク、磁気ディスク、ＳＤ（Secure Digital）カード、メモリースティック（登録商標）、ＵＳＢ（Universal Serial Bus）メモリなどの電子機器に挿入可能な（換言すれば取り外し可能な）情報記録媒体である。
【００１５】
さらに、本発明に係る記録再生装置は、上記に記載の電子機器を備えることが好ましい。これにより、上記と同様の効果を奏する記録再生装置を実現することができる。なお、記録再生装置とは、第１情報記録媒体などの取り外し可能な情報記録媒体に対して情報の記録または再生を行うことが可能な装置である。
【００１６】
さらに、本発明に係る電子機器は、上記登録情報記録手段により記録された登録情報が示す機能が使用可能であるか否かを判定する判定手段と、上記判定手段により上記機能が使用可能な状況であると判定された場合に、当該機能が使用可能であることを通知させる通知制御手段と、を備えることが好ましい。
【００１７】
上記構成によれば、通知制御手段は、判定手段が、登録情報記録手段により記録された登録情報が示す機能が使用可能な状況であると判定した場合に、当該機能が使用可能であることを通知する。これにより、電子機器において、機能情報に示される機能の利用場面に即してその機能が使用可能ならば、その旨をユーザに通知することができる。
【００１８】
さらに、本発明に係る電子機器は、上記再生制御手段が読み出した機能情報、または、上記再生制御手段が読み出した機能取得情報に対応する機能情報を提示させる提示制御手段を備えることが好ましい。
【００１９】
上記構成によれば、再生制御手段が読み出した機能情報、または、再生制御手段が読み出した機能取得情報に対応する機能情報をユーザに提示することができる。このため、ユーザは、提示された機能情報を確認することにより、登録したい機能を指定することができる。
【００２０】
さらに、本発明に係る電子機器では、上記登録情報記録手段は、上記第１情報記録媒体に上記登録情報を記録することが好ましい。
【００２１】
上記構成によれば、機能情報または機能取得情報が記録された第１情報記録媒体に登録情報が記録されるので、他の機器に第１情報記録媒体が挿入された場合に、当該他の機器が第１情報記録媒体に記録された登録情報を用いることができる。このため、他の機器が登録情報の記録を行うことができない機器であっても、第１情報記録媒体を挿入するだけで、当該機器に登録情報を利用させることができる。一方、登録情報の記録を行うことが可能な機器であっても、再度登録情報の記録を行わせる必要がないので、ユーザの負担を軽減することができる。また、互いに関連のある機能情報と登録情報とが一体に第１情報記録媒体に保存されるので、これらの情報を第１情報記録媒体にて一元管理することができ、登録情報を紛失する虞が無くなるという効果も奏する。
【００２２】
さらに、本発明に係る電子機器では、上記第１情報記録媒体は、上記機能情報または上記機能取得情報が記録された、情報を読み出すことが可能な再生専用領域と、情報を記録することが可能な記録可能領域とを備え、上記再生制御手段は、上記再生専用領域から上記機能情報または上記機能取得情報を読み出すことが好ましい。
【００２３】
上記構成によれば、書き換えを必要としない機能情報が再生専用領域に記録され、例えば追記または書き換えを必要とする登録情報が記録可能領域に記録されることで、機能情報を誤って消去してしまうことを防ぐことができる。また、互いに関連のある機能情報と登録情報とが一体に第１情報記録媒体に保存されるため、個別に情報を紛失する（どちらかの情報を紛失する）虞が無くなるという効果も奏する。さらに、電子機器を使用する毎にユーザに登録情報の記録を行わせる必要も無くなるため、ユーザの負担を軽減することができる。
【００２４】
さらに、本発明に係る電子機器では、上記登録情報記録手段は、上記機能情報または上記機能取得情報が記録された第１情報記録媒体とは異なる第２情報記録媒体に、上記登録情報を記録することが好ましい。
【００２５】
上記構成によれば、第２情報記録媒体に登録情報を記録するので、例えば第１情報記録媒体が紛失したり故障した場合であっても、第２情報記録媒体を参照することにより、機能の利用場面に即して当該機能が使用可能であることをユーザに通知することができる。
【００２６】
なお、第２情報記録媒体は、光ディスク、磁気ディスク、ＳＤ（Secure Digital）カード、メモリースティック（登録商標）、ＵＳＢメモリなどの電子機器に挿入可能な（換言すれば取り外し可能な）情報記録媒体であっても、電子機器が備える記憶部として用いられる例えばＨＤＤ（Hard Disk Drive）、半導体メモリ等の記憶装置、すなわち取り外しできない形態であってもよい。
【００２７】
さらに、本発明に係る電子機器では、上記登録情報記録手段は、上記登録情報を、自機器を利用するユーザを識別するための個人識別情報と対応付けて記録することが好ましい。
【００２８】
上記構成によれば、登録情報記録手段が登録情報を個人識別情報と対応付けて記録するので、電子機器を利用するユーザ毎に登録情報を保存することができる。これにより、電子機器は、ユーザ毎に登録情報を管理することができるので、任意のユーザが登録した登録情報を他のユーザに知られることを防ぐことができ、セキュリティーの向上を図ることができる。また、あるユーザが登録した登録情報を他のユーザが間違えて利用してしまう誤使用を防ぐことができる。更には、同一の情報記録媒体に複数ユーザの登録情報が記録されていてもユーザ毎に固有の登録情報を使用できるため、情報記録媒体を交換すること無く、複数のユーザそれぞれが登録した登録情報を個別に活用可能となる。
【００２９】
さらに、本発明に係る電子機器は、上記第１情報記録媒体には、複数の機器の機能情報、または、当該複数の機器の機能情報それぞれを外部から取得するための複数の機能取得情報が記録されており、上記再生制御手段が読み出した複数の機器の機能情報から選択された機能情報、または、上記再生制御手段が読み出した複数の機能取得情報に対応する複数の機能情報から選択された機能情報を提示させる提示制御手段を備えることが好ましい。
【００３０】
上記構成によれば、第１情報記録媒体に、複数の機器の機能情報、または、当該複数の機器の機能情報を外部から取得するための複数の機能取得情報が記録されている。この場合、提示制御手段は、再生制御手段により読み出された複数の機器の機能情報（または、複数の機能取得情報に対応する複数の機能情報）から選択された機能情報をユーザに提示することができる。従って、ユーザは、機能の説明を受けようとする機器（例えば第１情報記録媒が挿入されている機器）の機能情報を選択的に確認することができる。
【００３１】
さらに、本発明に係る電子機器では、上記第１情報記録媒体に記録されている機能情報は、上記第１情報記録媒体の出荷時に記録された機能情報、上記機能取得情報に対応する機能情報、または、当該機能情報が更新されたときに当該機能情報の一部として追加される追加情報の少なくとも１つを含むことが好ましい。
【００３２】
上記構成によれば、第１情報記録媒体には、出荷時の機能情報、機能取得情報に対応する機能情報、または、追加情報の少なくとも１つが機能情報として記録されている。このため、電子機器は、出荷時の機能情報だけでなく、電子機器または外部（例えばネットワーク上）から取得した情報をも機能情報として利用することができる。特に、第１情報記録媒体が出荷時の機能情報および追加情報が記録されることにより、電子機器は最新の機能情報に対する処理を行うことができる。
【００３３】
本発明に係る電子機器は、上記の課題を解決するために、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体には、当該機能情報、または、当該機能取得情報に対応する機能情報のうち、ユーザが指定した機能情報、または、ユーザが指定した機能情報を特定可能な情報である登録情報が記録されており、上記第１情報記録媒体から、上記登録情報を読み出して再生制御する第２再生制御手段と、上記第２再生制御手段が読み出した登録情報が示す機能が使用可能であるか否かを判定する第２判定手段と、上記第２判定手段により上記機能が使用可能な状況であると判定された場合に、当該機能が使用可能であることを通知させる第２通知制御手段と、を備えることを特徴としている。
【００３４】
また、本発明に係る電子機器の制御方法は、上記の課題を解決するために、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体には、当該機能情報、または、当該機能取得情報に対応する機能情報のうち、ユーザが指定した機能情報、または、ユーザが指定した機能情報を特定可能な情報である登録情報が記録されており、上記第１情報記録媒体から、上記登録情報を読み出して再生制御する第２再生制御ステップと、上記第２再生制御ステップに読み出された登録情報が示す機能が使用可能であるか否かを判定する第２判定ステップと、上記第２判定ステップにより上記機能が使用可能な状況であると判定された場合に、当該機能が使用可能であることを通知させる第２通知制御ステップと、を含むことを特徴としている。
【００３５】
上記構成によれば、第２再生制御手段（第２再生制御ステップ）により第１情報記録媒体に記録された登録情報が読み出され、第２通知制御手段（第２通知制御ステップ）は、第２判定手段（第２判定ステップ）が、この登録情報が示す機能が使用可能な状況であると判定した場合に、当該機能が使用可能であることを通知する。これにより、第１情報記録媒体に登録情報を記録した電子機器とは異なる電子機器（すなわち登録情報を記録する機能を有しない本発明の電子機器）において、機能情報に示される機能の利用場面に即してその機能が使用可能ならば、その旨をユーザに通知することができる。
【００３６】
また、登録情報は、機能情報または機能取得情報が記録されている第１情報記録媒体に記録されている。このため、ユーザは、少なくとも第１情報記録媒体を管理しておくだけで、本発明の電子機器にて登録情報に基づく上記の通知を受けることができる。
【００３７】
本発明に係る電子機器では、上記の課題を解決するために、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体とは異なる第２情報記録媒体に、当該機能情報、または、当該機能取得情報に対応する機能情報のうち、ユーザが指定した機能情報、または、ユーザが指定した機能情報を特定可能な情報である登録情報が記録されており、上記第２情報記録媒体から、上記登録情報を読み出して再生制御する第２再生制御手段と、上記第２再生制御手段が読み出した登録情報が示す機能が使用可能であるか否かを判定する第２判定手段と、上記第２判定手段により上記機能が使用可能な状況であると判定された場合に、当該機能が使用可能であることを通知させる第２通知制御手段と、を備えることを特徴としている。
【００３８】
また、本発明に係る電子機器の制御方法は、上記の課題を解決するために、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体とは異なる第２情報記録媒体に、当該機能情報、または、当該機能取得情報に対応する機能情報のうち、ユーザが指定した機能情報、または、ユーザが指定した機能情報を特定可能な情報である登録情報が記録されており、上記第２情報記録媒体から、上記登録情報を読み出して再生制御する第２再生制御ステップと、上記第２再生制御ステップにより読み出された登録情報が示す機能が使用可能であるか否かを判定する第２判定ステップと、上記第２判定ステップにより上記機能が使用可能な状況であると判定された場合に、当該機能が使用可能であることを通知させる第２通知制御ステップと、を含むことを特徴としている。
【００３９】
上記構成によれば、第２再生制御手段（第２再生制御ステップ）により第２情報記録媒体に記録された登録情報が読み出され、第２通知制御手段（第２通知制御ステップ）は、第２判定手段（第２判定ステップ）が、この登録情報が示す機能が使用可能な状況であると判定した場合に、当該機能が使用可能であることを通知する。これにより、第２情報記録媒体に登録情報を記録した電子機器とは異なる電子機器（すなわち登録情報を記録する機能を有しない本発明の電子機器）において、機能情報に示される機能の利用場面に即してその機能が使用可能ならば、その旨をユーザに通知することができる。
【００４０】
また、登録情報は、機能情報が記録されている第１情報記録媒体とは異なる第２情報記録媒体に記録されている。このため、本発明の電子機器は、第１情報記録媒体が紛失したり故障した場合であっても、第２情報記録媒体を参照することにより、機能の利用場面に即して当該機能が使用可能であることをユーザに通知することができる。
【００４１】
さらに、本発明に係る再生装置は、上記に記載の電子機器を備えることが好ましい。これにより、上記電子機器（登録情報を記録する機能を有しない電子機器）と同様の効果を奏する再生装置を実現することができる。なお、再生装置とは、第１情報記録媒体などの取り外し可能な情報記録媒体に対して情報の再生を行うことが可能な装置である。
【００４２】
さらに、本発明に係る情報記録媒体は、上記に記載の電子機器に用いられる情報記録媒体であって、上記機能情報または上記機能取得情報が記録されているとともに、上記登録情報が記録可能であることが好ましい。
【００４３】
上記構成によれば、機能情報または機能取得情報が記録された情報記録媒体に登録情報が記録されるので、他の機器に情報記録媒体が挿入された場合に、当該他の機器が情報記録媒体に記録された登録情報を用いることができる。このため、他の機器が登録情報の記録を行うことができない機器であっても、本発明の情報記録媒体を挿入するだけで、当該機器に登録情報を利用させることができる。一方、本発明の情報記録媒体は、登録情報の記録を行うことが可能な機器で利用される場合であっても、再度登録情報の記録を行わせる必要がないので、ユーザの負担を軽減することができる。また、互いに関連のある機能情報と登録情報とが一体に情報記録媒体に保存されるので、個別に情報を紛失する虞が無くなるという効果も奏する。
【００４４】
さらに、本発明に係る情報記録媒体は、情報を読み出すことが可能な再生専用領域と、情報を記録することが可能な記録可能領域とを備え、上記再生専用領域には上記機能情報または上記機能取得情報が記録されていることが好ましい。
【００４５】
上記構成によれば、書き換えを必要としない機能情報が再生専用領域に記録され、例えば追記または書き換えを必要とする登録情報が記録可能領域に記録されるので、本発明の情報記録媒体を利用する際に、機能情報が誤って消去されてしまうことを防ぐことができる。
【００４６】
さらに、本発明に係る記録再生装置は、上記に記載の電子機器（登録情報を記録する機能を有する電子機器）の各手段を備える記録再生装置であって、外部から取得した取得情報を記録することが可能な第３情報記録媒体に、当該取得情報を記録する取得情報記録手段を備え、上記取得情報記録手段が上記第３情報記録媒体に記録した取得情報に対する制御が行われる場合に、上記判定手段は、上記登録情報記録手段により記録された登録情報が示す機能が使用可能な状況にあるか否かを判定し、上記の通知制御手段は、上記判定手段により上記機能が使用可能な状況であると判定された場合に、当該機能が使用可能であることを通知させることが好ましい。
【００４７】
上記構成によれば、取得情報記録手段により第３情報記録媒体に記録された取得情報に対する制御が行われる場合に、通知制御手段は、判定手段が、この登録情報が示す機能が使用可能な状況であると判定した場合に、当該機能が使用可能であることを通知する。これにより、第３情報記録媒体に保存された取得情報に対する制御が行われる場合に、機能の利用場面に即してその機能が使用可能ならば、その旨をユーザに通知することができる。逆にいえば、第３情報記録媒体とは異なる情報記録媒体に保存された取得情報に対する制御が行われる場合には、上記の通知を行わない。すなわち、取得情報が保存される場所がどこであるかによって選択的に通知を行うことができる。
【００４８】
つまり、ユーザが上記の通知を必要とする場合には、取得情報を第３情報記録媒体に保存し、逆に、上記の通知を必要としない場合には第３情報記録媒体とは異なる情報記録媒体に保存することで、当該通知の有無を選択できる。すなわち、上記の通知を行うか否かの選択を、記録再生装置を使用する度にユーザが選択せずとも、取得情報を保存する場所を変えるだけで行うことができる。このように、第３情報記録媒体に取得情報が記録されたときのみ上記の通知が行われることで、例えば、当該通知を行うか否かの設定を、記録再生装置を操作して変更することが困難と感じるユーザにおいても、保存先の違いで当該通知の有無を選択できる。このため、記録再生装置に対する操作を簡略化することができ、ユーザの負担を軽減できるとともに記録再生装置の機能を有効に活用できる効果を奏する。
【００４９】
なお、外部から取得した取得情報とは、外部のネットワークやテレビ放送などから取得したコンテンツ（録画したコンテンツ）などを指す。
【００５０】
また、第３情報記録媒体は、光ディスク、磁気ディスク、ＳＤカード、メモリースティック（登録商標）、ＵＳＢメモリなどの記録再生装置に挿入可能な（換言すれば取り外し可能な）情報記録媒体であっても、記録再生装置が備える記憶部として用いられる例えばＨＤＤ、半導体メモリ等の記憶装置、すなわち取り外しできない形態であってもよい。
【００５１】
さらに、本発明に係る記録再生装置の制御方法は、外部から取得した取得情報を記録することが可能な第３情報記録媒体を有する記録再生装置の制御方法であって、自装置あるいは自装置とは異なる他の装置が有する機能であって、装置の使用状況に応じて使用可否が変更される機能に関する情報である機能情報、または、当該機能情報を外部から取得するための機能取得情報が記録された第１情報記録媒体から、当該機能情報または当該機能取得情報を読み出して再生制御する再生制御ステップと、上記再生制御ステップにより上記第１情報記録媒体から読み出された機能情報、または、上記再生制御ステップにより上記情報記録媒体から読み出された機能取得情報に対応する機能情報のうち、ユーザが指定した機能情報、または、ユーザが指定した機能情報を特定可能な情報を登録情報として記録する登録情報記録ステップと、上記第３情報記録媒体に上記取得情報を記録する取得情報記録ステップと、上記取得情報記録ステップにより上記第３情報記録媒体に記録された取得情報に対する制御が行われる場合に、上記登録情報記録ステップにより記録された登録情報が示す機能が使用可能な状況にあるか否かを判定する判定ステップと、上記判定ステップにより上記機能が使用可能な状況であると判定された場合に、当該機能が使用可能であることを通知させる通知制御ステップと、を含むことを特徴としている。
【００５２】
上記構成によれば、登録情報記録ステップは、再生制御ステップにより第１情報記録媒体から読み出された機能情報、または、機能取得情報に対応する機能情報のうち、ユーザが指定した機能情報、または、ユーザが指定した機能情報を特定可能な情報を登録情報として記録する。また、取得情報記録ステップにより第３情報記録媒体に記録された取得情報に対する制御が行われる場合に、通知制御ステップは、判定ステップにより、この登録情報が示す機能が使用可能な状況であると判定された場合に、当該機能が使用可能であることを通知する。これにより、上記の記録再生装置と同様の効果を奏する。
【００５３】
さらに、本発明に係る記録再生装置では、上記登録情報記録手段は、上記第３情報記録媒体に上記登録情報を記録することが好ましい。
【００５４】
上記構成によれば、登録情報と取得情報とが一体に第３情報記録媒体に記録されるので、例えば第１情報記録媒体が紛失したり故障した場合や、ユーザが機能情報を用いた機能の説明を必要としない場合に、第３情報記録媒体を参照することにより、取得情報に対する制御が行われるときに、機能の利用場面に即して当該機能が使用可能であることをユーザに通知することができる。
【００５５】
さらに、本発明に係る記録再生装置では、上記第３情報記録媒体は、自装置から取り外し可能であることが好ましい。
【００５６】
上記構成によれば、第３情報記録媒体が取り外し可能なので、本発明の記録再生装置とは異なる他の機器にて第３情報記録媒体を利用することができる。特に、登録情報と取得情報とが一体に第３情報記録媒体に記録されている場合には、上記他の機器において、取得情報に対する制御が行われるときに登録情報に基づく上記の通知を行うことができる。このため、他の機器が登録情報の記録を行うことができない機器であっても、第３情報記録媒体を挿入するだけで、当該機器に登録情報を利用させることができる。
【００５７】
さらに、本発明に係る記録再生装置では、上記に記載の電子機器（登録情報を記録する機能を有する電子機器）の各手段を備える記録再生装置であって、上記第１情報記録媒体に、外部から取得した取得情報を記録する取得情報記録手段を備え、上記取得情報記録手段が上記第１情報記録媒体に記録した取得情報に対する制御が行われる場合に、上記判定手段は、上記登録情報記録手段により記録された登録情報が示す機能が使用可能な状況にあるか否かを判定し、上記の通知制御手段は、上記判定手段により上記機能が使用可能な状況であると判定された場合に、当該機能が使用可能であることを通知させることが好ましい。
【００５８】
上記構成によれば、取得情報記録手段により第１情報記録媒体に記録された取得情報に対する制御が行われる場合に、通知制御手段は、判定手段が、この登録情報が示す機能が使用可能な状況であると判定した場合に、当該機能が使用可能であることを通知する。これにより、第１情報記録媒体に保存された取得情報に対する制御が行われる場合に、機能の利用場面に即してその機能が使用可能ならば、その旨をユーザに通知することができる。逆にいえば、第１情報記録媒体とは異なる情報記録媒体に保存された取得情報に対する制御が行われる場合には、上記の通知を行わない。すなわち、取得情報が保存される場所がどこであるかによって選択的に通知を行うことができる。
【００５９】
つまり、ユーザが上記の通知を必要とする場合には、取得情報を第１情報記録媒体に保存し、逆に、上記の通知を必要としない場合には第１情報記録媒体とは異なる情報記録媒体に保存することで、当該通知の有無を選択できる。すなわち、上記の通知を行うか否かの選択を、記録再生装置を使用する度にユーザが選択せずとも、取得情報を保存する場所を変えるだけで行うことができる。このように、第１情報記録媒体に取得情報が記録されたときのみ上記の通知が行われることで、例えば、当該通知を行うか否かの設定を、記録再生装置を操作して変更することが困難と感じるユーザにおいても、保存先の違いで当該通知の有無を選択できる。このため、記録再生装置に対する操作を簡略化することができ、ユーザの負担を軽減できるとともに記録再生装置の機能を有効に活用できる効果を奏する。
【００６０】
また、機能情報（または機能取得情報）と取得情報とが一体に第１情報記録媒体に記録されるので、他の機器に第１情報記録媒体が挿入された場合に、当該他の機器にて機能の説明を行うだけでなく、取得情報を利用することもできる。また、これらの情報を第１情報記録媒体にて一元管理することができ、取得情報を紛失する虞が無くなるという効果も奏する。
【００６１】
また、本発明に係る記録再生装置の制御方法は、自装置あるいは自装置とは異なる他の装置が有する機能であって、装置の使用状況に応じて使用可否が変更される機能に関する情報である機能情報、または、当該機能情報を外部から取得するための機能取得情報が記録され、かつ、外部から取得した取得情報を記録することが可能な第１情報記録媒体を有する記録再生装置の制御方法であって、上記第１情報記録媒体から、上記機能情報または上記機能取得情報を読み出して再生制御する再生制御ステップと、上記再生制御ステップにより上記第１情報記録媒体から読み出された機能情報、または、上記再生制御ステップにより上記情報記録媒体から読み出された機能取得情報に対応する機能情報のうち、ユーザが指定した機能情報、または、ユーザが指定した機能情報を特定可能な情報を登録情報として記録する登録情報記録ステップと、上記第１情報記録媒体に上記取得情報を記録する取得情報記録ステップと、上記取得情報記録ステップにより上記第１情報記録媒体に記録された取得情報に対する制御が行われる場合に、上記登録情報記録ステップにより記録された登録情報が示す機能が使用可能な状況にあるか否かを判定する判定ステップと、上記判定ステップにより上記機能が使用可能な状況であると判定された場合に、当該機能が使用可能であることを通知させる通知制御ステップと、を含むことを特徴としている。
【００６２】
上記構成によれば、登録情報記録ステップは、再生制御ステップにより第１情報記録媒体から読み出された機能情報、または、機能取得情報に対応する機能情報のうち、ユーザが指定した機能情報、または、ユーザが指定した機能情報を特定可能な情報を登録情報として記録する。また、取得情報記録ステップにより第１情報記録媒体に記録された取得情報に対する制御が行われる場合に、通知制御ステップは、判定ステップにより、この登録情報が示す機能が使用可能な状況であると判定された場合に、当該機能が使用可能であることを通知する。これにより、上記の記録再生装置と同様の効果を奏する。
【００６３】
さらに、本発明に係る記録再生装置では、上記登録情報記録手段は、上記第１情報記録媒体に上記登録情報を記録することが好ましい。
【００６４】
上記構成によれば、機能情報（または機能取得情報）および取得情報が記録された第１情報記録媒体に登録情報が記録されるので、他の機器に第１情報記録媒体が挿入された場合に、当該他の機器において、取得情報に対する制御が行われるときに第１情報記録媒体に記録された登録情報を用いることができる。このため、他の機器が登録情報の記録を行うことができない機器であっても、第１情報記録媒体を挿入するだけで、当該機器に登録情報を利用させることができる。一方、登録情報の記録を行うことが可能な機器であっても、再度登録情報の記録を行わせる必要がないので、ユーザの負担を軽減することができる。また、機能情報（または機能取得情報）、登録情報および取得情報が一体に第１情報記録媒体に保存されるので、これらの情報を第１情報記録媒体にて一元管理することができ、登録情報および取得情報を紛失する虞が無くなるという効果も奏する。
【００６５】
さらに、本発明に係る記録再生装置は、上記再生制御手段が読み出した機能情報、または、上記再生制御手段が読み出した機能取得情報に対応する機能情報を提示させる提示制御手段を備えることが好ましい。
【００６６】
上記構成によれば、再生制御手段が読み出した機能情報、または、再生制御手段が読み出した機能取得情報に対応する機能情報をユーザに提示することができる。このため、ユーザは、提示された機能情報を確認することにより、登録したい機能を指定することができる。
【００６７】
さらに、本発明に係る再生装置は、上記に記載の記録再生装置により登録情報および取得情報が記録された第３情報記録媒体に対して情報の再生を行う再生装置であって、上記第３情報記録媒体から、上記登録情報を読み出して再生制御する第２再生制御手段と、上記取得情報記録手段が上記第３情報記録媒体に記録した取得情報に対する制御が行われる場合に、上記第２再生制御手段により記録された登録情報が示す機能が使用可能な状況にあるか否かを判定する第２判定手段と、上記第２判定手段により上記機能が使用可能な状況であると判定された場合に、当該機能が使用可能であることを通知させる第２通知制御手段と、を備えることが好ましい。
【００６８】
上記構成によれば、第２再生制御手段により第３情報記録媒体に記録された登録情報が読み出され、記録再生装置により第３情報記録媒体に記録された取得情報に対する制御が本発明の再生装置により行われる場合に、第２通知制御手段は、第２判定手段が、この登録情報が示す機能が使用可能な状況であると判定した場合に、当該機能が使用可能であることを通知する。これにより、第１情報記録媒体に登録情報を記録した記録再生装置とは異なる本発明の再生装置において、第３情報記録媒体に保存された取得情報に対する制御が行われる場合に、機能の利用場面に即してその機能が使用可能ならば、その旨をユーザに通知することができる。逆にいえば、第３情報記録媒体とは異なる情報記録媒体に保存された取得情報に対する制御が行われる場合には、上記の通知を行わない。すなわち、第３情報記録媒体に取得情報が記録されている場合にのみ上記の通知を行うので、取得情報が保存される場所がどこであるかによって選択的に通知を行うことができる。
【００６９】
また、登録情報および取得情報は、機能情報が記録されている第１情報記録媒体とは異なる第３情報記録媒体に記録されている。このため、本発明の再生装置は、第１情報記録媒体が紛失したり故障した場合であっても、第３情報記録媒体を参照することにより、取得情報に対する制御が行われるときに、機能の利用場面に即して当該機能が使用可能であることをユーザに通知することができる。
【００７０】
さらに、本発明に係る再生装置は、上記に記載の記録再生装置により登録情報および取得情報が記録された第１情報記録媒体に対して情報の再生を行う再生装置であって、上記第１情報記録媒体から、上記登録情報を読み出して再生制御する第２再生制御手段と、上記取得情報記録手段が上記第１情報記録媒体に記録した取得情報に対する制御が行われる場合に、上記第２再生制御手段により記録された登録情報が示す機能が使用可能な状況にあるか否かを判定する第２判定手段と、上記第２判定手段により上記機能が使用可能な状況であると判定された場合に、当該機能が使用可能であることを通知させる第２通知制御手段と、を備えることが好ましい。
【００７１】
上記構成によれば、第２再生制御手段により第１情報記録媒体に記録された登録情報が読み出され、記録再生装置により第１情報記録媒体に記録された取得情報に対する制御が本発明の再生装置により行われる場合に、第２通知制御手段は、第２判定手段が、この登録情報が示す機能が使用可能な状況であると判定した場合に、当該機能が使用可能であることを通知する。これにより、本発明の再生装置において、第１情報記録媒体に保存された取得情報に対する制御が行われる場合に、機能の利用場面に即してその機能が使用可能ならば、その旨をユーザに通知することができる。逆にいえば、第１情報記録媒体とは異なる情報記録媒体に保存された取得情報に対する制御が行われる場合には、上記の通知を行わない。すなわち、第１情報記録媒体に取得情報が記録されている場合にのみ上記の通知を行うので、取得情報が保存される場所がどこであるかによって選択的に通知を行うことができる。
【００７２】
また、登録情報および取得情報は、機能情報または機能取得情報が記録されている第１情報記録媒体に記録されている。このため、ユーザは、少なくとも第１情報記録媒体を管理しておくだけで、本発明の再生装置にて、取得情報に対する制御が行われる場合に登録情報に基づく上記の通知を受けることができる。
【００７３】
さらに、機能情報（または機能取得情報）と登録情報と取得情報とが一体に第１情報記録媒体に記録されるので、他の機器に第１情報記録媒体が挿入された場合に、当該他の機器にて機能の説明を行うだけでなく、登録情報および取得情報を利用することもできる。また、これらの情報を第１情報記録媒体にて一元管理することができ、取得情報を紛失する虞が無くなるという効果も奏する。
【００７４】
さらに、本発明に係る情報記録媒体は、上記に記載の記録再生装置、または、上記に記載の再生装置に用いられる情報記録媒体であって、上記機能情報または上記機能取得情報が記録されているとともに、上記登録情報および上記取得情報が記録可能であることが好ましい。
【００７５】
上記構成によれば、機能情報（または機能取得情報）および取得情報が記録された第１情報記録媒体に登録情報が記録されるので、他の機器に第１情報記録媒体が挿入された場合に、当該他の機器において、取得情報に対する制御が行われるときに第１情報記録媒体に記録された登録情報を用いることができる。このため、他の機器が登録情報の記録を行うことができない機器であっても、第１情報記録媒体を挿入するだけで、当該機器に登録情報を利用させることができる。一方、登録情報の記録を行うことが可能な機器で利用される場合であっても、再度登録情報の記録を行わせる必要がないので、ユーザの負担を軽減することができる。また、機能情報（または機能取得情報）、登録情報および取得情報が一体に第１情報記録媒体に保存されるので、これらの情報を第１情報記録媒体にて一元管理することができ、登録情報および取得情報を紛失する虞が無くなるという効果も奏する。
【００７６】
さらに、本発明に係る情報記録媒体は、情報を読み出すことが可能な再生専用領域と、情報を記録することが可能な記録可能領域とを備え、上記再生専用領域には上記機能情報または上記機能取得情報が記録されていることが好ましい。
【００７７】
上記構成によれば、書き換えを必要としない機能情報が再生専用領域に記録され、例えば追記または書き換えを必要とする登録情報および取得情報が記録可能領域に記録されるので、本発明の情報記録媒体を利用する際に、機能情報が誤って消去されてしまうことを防ぐことができる。
【発明の効果】
【００７８】
本発明に係る電子機器は、以上のように、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体から、当該機能情報または当該機能取得情報を読み出して再生制御する再生制御手段と、上記再生制御手段が上記第１情報記録媒体から読み出した機能情報、または、上記再生制御手段が上記第１情報記録媒体から読み出した機能取得情報に対応する機能情報のうち、ユーザが指定した機能情報が示す機能が使用可能な状況である場合に、当該機能が使用可能であることを通知させるために、当該ユーザが指定した機能情報、または、当該ユーザが指定した機能情報を特定可能な情報を登録情報として記録する登録情報記録手段と、を備える構成である。
【００７９】
また、本発明に係る電子機器の制御方法は、以上のように、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体から、当該機能情報または当該機能取得情報を読み出して再生制御する再生制御ステップと、上記再生制御ステップが上記第１情報記録媒体から読み出した機能情報、または、上記再生制御ステップが上記第１情報記録媒体から読み出した機能取得情報に対応する機能情報のうち、ユーザが指定した機能情報が示す機能が使用可能な状況である場合に、当該機能が使用可能であることを通知させるために、当該ユーザが指定した機能情報、または、当該ユーザが指定した機能情報を特定可能な情報を登録情報として記録する登録情報記録ステップと、を含む方法である。
【００８０】
それゆえ、機能情報（例えば取扱説明書）に示される機能の利用場面に即して（すなわち適切なタイミングで）その機能が使用可能ならば、その旨をユーザに通知することができるという効果を奏する。
【００８１】
本発明に係る電子機器は、以上のように、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体には、当該機能情報、または、当該機能取得情報に対応する機能情報のうち、ユーザが指定した機能情報、または、ユーザが指定した機能情報を特定可能な情報である登録情報が記録されており、上記第１情報記録媒体から、上記登録情報を読み出して再生制御する第２再生制御手段と、上記第２再生制御手段が読み出した登録情報が示す機能が使用可能であるか否かを判定する第２判定手段と、上記第２判定手段により上記機能が使用可能な状況であると判定された場合に、当該機能が使用可能であることを通知させる第２通知制御手段と、を備える構成である。
【００８２】
また、本発明に係る電子機器の制御方法は、以上のように、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体には、当該機能情報、または、当該機能取得情報に対応する機能情報のうち、ユーザが指定した機能情報、または、ユーザが指定した機能情報を特定可能な情報である登録情報が記録されており、上記第１情報記録媒体から、上記登録情報を読み出して再生制御する第２再生制御ステップと、上記第２再生制御ステップに読み出された登録情報が示す機能が使用可能であるか否かを判定する第２判定ステップと、上記第２判定ステップにより上記機能が使用可能な状況であると判定された場合に、当該機能が使用可能であることを通知させる第２通知制御ステップと、を含む方法である。
【００８３】
それゆえ、第１情報記録媒体に登録情報を記録した電子機器とは異なる電子機器（すなわち登録情報を記録する機能を有しない本発明の電子機器）において、機能情報に示される機能の利用場面に即してその機能が使用可能ならば、その旨をユーザに通知することができる。
【００８４】
本発明に係る電子機器では、以上のように、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体とは異なる第２情報記録媒体に、当該機能情報、または、当該機能取得情報に対応する機能情報のうち、ユーザが指定した機能情報、または、ユーザが指定した機能情報を特定可能な情報である登録情報が記録されており、上記第２情報記録媒体から、上記登録情報を読み出して再生制御する第２再生制御手段と、上記第２再生制御手段が読み出した登録情報が示す機能が使用可能であるか否かを判定する第２判定手段と、上記第２判定手段により上記機能が使用可能な状況であると判定された場合に、当該機能が使用可能であることを通知させる第２通知制御手段と、を備える構成である。
【００８５】
また、本発明に係る電子機器の制御方法は、以上のように、自機器あるいは自機器とは異なる他の機器が有する機能であって、機器の使用状況に応じて使用可否が変更される機能に関する情報である機能情報、または、当該機能情報を外部から取得するための機能取得情報が記録された第１情報記録媒体とは異なる第２情報記録媒体に、当該機能情報、または、当該機能取得情報に対応する機能情報のうち、ユーザが指定した機能情報、または、ユーザが指定した機能情報を特定可能な情報である登録情報が記録されており、上記第２情報記録媒体から、上記登録情報を読み出して再生制御する第２再生制御ステップと、上記第２再生制御ステップにより読み出された登録情報が示す機能が使用可能であるか否かを判定する第２判定ステップと、上記第２判定ステップにより上記機能が使用可能な状況であると判定された場合に、当該機能が使用可能であることを通知させる第２通知制御ステップと、を含む方法である。
【００８６】
それゆえ、第２情報記録媒体に登録情報を記録した電子機器とは異なる電子機器（すなわち登録情報を記録する機能を有しない本発明の電子機器）において、機能情報に示される機能の利用場面に即してその機能が使用可能ならば、その旨をユーザに通知することができる。
【００８７】
本発明に係る記録再生装置の制御方法は、自装置あるいは自装置とは異なる他の装置が有する機能であって、装置の使用状況に応じて使用可否が変更される機能に関する情報である機能情報、または、当該機能情報を外部から取得するための機能取得情報が記録された第１情報記録媒体から、当該機能情報または当該機能取得情報を読み出して再生制御する再生制御ステップと、上記再生制御ステップにより上記第１情報記録媒体から読み出された機能情報、または、上記再生制御ステップにより上記情報記録媒体から読み出された機能取得情報に対応する機能情報のうち、ユーザが指定した機能情報、または、ユーザが指定した機能情報を特定可能な情報を登録情報として記録する登録情報記録ステップと、上記第３情報記録媒体に上記取得情報を記録する取得情報記録ステップと、上記取得情報記録ステップにより上記第３情報記録媒体に記録された取得情報に対する制御が行われる場合に、上記登録情報記録ステップにより記録された登録情報が示す機能が使用可能な状況にあるか否かを判定する判定ステップと、上記判定ステップにより上記機能が使用可能な状況であると判定された場合に、当該機能が使用可能であることを通知させる通知制御ステップと、を含む方法である。
【００８８】
それゆえ、第３情報記録媒体に保存された取得情報に対する制御が行われる場合に、機能の利用場面に即してその機能が使用可能ならば、その旨をユーザに通知することができる。
【００８９】
本発明に係る記録再生装置の制御方法は、上記第１情報記録媒体から、上記機能情報または上記機能取得情報を読み出して再生制御する再生制御ステップと、上記再生制御ステップにより上記第１情報記録媒体から読み出された機能情報、または、上記再生制御ステップにより上記情報記録媒体から読み出された機能取得情報に対応する機能情報のうち、ユーザが指定した機能情報、または、ユーザが指定した機能情報を特定可能な情報を登録情報として記録する登録情報記録ステップと、上記第１情報記録媒体に上記取得情報を記録する取得情報記録ステップと、上記取得情報記録ステップにより上記第１情報記録媒体に記録された取得情報に対する制御が行われる場合に、上記登録情報記録ステップにより記録された登録情報が示す機能が使用可能な状況にあるか否かを判定する判定ステップと、上記判定ステップにより上記機能が使用可能な状況であると判定された場合に、当該機能が使用可能であることを通知させる通知制御ステップと、を含む方法である。
【００９０】
それゆえ、第１情報記録媒体に保存された取得情報に対する制御が行われる場合に、機能の利用場面に即してその機能が使用可能ならば、その旨をユーザに通知することができる。
【図面の簡単な説明】
【００９１】
【図１】本発明の一実施形態に係る電子機器の概略構成を示すブロック図である。
【図２】本発明の一実施形態に係る電子機器における処理の流れの一例を示すフローチャートである。
【図３】本発明の一実施形態に係る光ディスクの概略構成を示す図であり、図３（ａ）は、再生光入射側から見たときの光ディスクを示す図であり、図３（ｂ）は、光ディスクの各記録層の構成例を示す図である。
【図４】本発明の別の一実施形態に係る電子機器における処理の流れの一例を示すフローチャートである。
【図５】本発明のさらに別の一実施形態に係る電子機器の概略構成を示す図である。
【図６】本発明のさらに別の一実施形態に係る電子機器における処理の流れの一例を示すフローチャートである。
【図７】本発明の一実施形態に係る記録再生装置の概略構成を示すブロック図である。
【図８】本発明の一実施形態に係る記録再生装置における処理の流れの一例を示すフローチャートである。
【図９】本発明の別の一実施形態に係る記録再生装置における処理の流れの一例を示すフローチャートである。
【図１０】本発明にさらに別の一実施形態に係る記録再生装置における処理の流れの一例を示すフローチャートである。
【発明を実施するための形態】
【００９２】
〔実施の形態１〕
本発明の実施の一形態について図１および図２に基づいて説明すれば、以下のとおりである。本実施の形態に係る電子機器１は、例えばＰＣ、ＰＤＡ（Personal Digital Assistant）や、テレビ、冷蔵庫、電子レンジ、洗濯機などの家電製品などを想定しており、情報記録媒体に対して情報の記録（テレビ放送などから取得したコンテンツの録画を含む）または再生を行うことが可能な記録再生装置（あるいは再生装置）以外の装置を想定している。
【００９３】
また、機能情報（機能説明）を記録している情報記録媒体（第１情報記録媒体）としては、磁気ディスク、ＳＤカード、メモリースティック、ＵＳＢメモリ、後述の光ディスク１００（ＲＯＭ／ＲＥが積層された光ディスク）以外の光ディスクなどを想定している。本実施の形態では、例えば磁気ディスク９０（情報記録媒体）が機能情報を含む第１情報記録媒体であるものとして説明する。機能情報とは、電子機器１あるいは電子機器１とは異なる他の機器が有する機能であって、機器の使用状況に応じて使用可否が変更される機能に関する情報であり、例えば取扱説明書などである。
【００９４】
さらに、第１情報記録媒体は、機能情報の代わりとして、電子機器１が機能情報を外部から取得するための機能取得情報（識別情報）が記録されていてもよい。この場合、機能情報本体は、第１情報記録媒体以外の例えば電子機器１の記憶部１４やネットワーク上のサーバに保存されている。機能取得情報は、この機能情報を記憶部１４から読み出したり、サーバからダウンロードするためのものであり、例えば型番やシリアル番号、ダウンロードキーなどにより構成されている。
【００９５】
また、第１情報記録媒体に機能情報の全てが記録されていなくてもよく、その一部が記録されている構成であってもよい。この場合、第１情報記録媒体の出荷時には機能情報の一部が記録されており、残りの機能情報としては、例えば、上記の機能取得情報を用いることにより得られる、当該機能情報が更新されたときにインターネットなどのネットワークを介して追加される機能情報の一部としての追加情報や、第１情報記録媒体とは異なる情報記録媒体に記録されている機能情報などが挙げられる。
【００９６】
すなわち、第１情報記録媒体には、機能情報が直接、または、間接的に記録されているといえる。機能情報が直接記録された第１情報記録媒体とは、機能情報の全てが第１情報記録媒体に記録されている形態の情報記録媒体を指す。また、機能情報が間接的に記録された第１情報記録媒体とは、機能情報を取得するための機能取得情報が記録されている形態の情報記録媒体であって、残りの機能情報（追加情報）が第１情報記録媒体とは異なる情報記録媒体から取得されるか、または、機能情報本体をネットワークを介して取得する形態の情報記録媒体をいう。なお、機能情報が間接的に記録された第１情報記録媒体においては、第１情報記録媒体に記録された機能情報の一部、または、機能情報を取得するための機能取得情報が、第１情報記録媒体とは異なる情報記録媒体やネットワークを介して取得される残りの機能情報（追加情報）と関連付けされている。
【００９７】
〔電子機器１の概略構成〕
まず、図１を用いて、電子機器１の概略構成について説明する。図１は、電子機器１の概略構成を示す図である。電子機器１は、ユーザが電子機器１に対して操作を行うときに、当該操作において使用可能な機能を適切なタイミングで提示するといったユーザ支援を行う機器であり、媒体装填確認部１１、媒体制御回路群１２、制御部１３、記憶部１４、表示部１５、操作部１６を備える。なお、表示部１５および操作部１６はそれぞれ、電子機器１とは別の装置で実現されていてもよい。
【００９８】
媒体装填確認部１１は、磁気ディスク９０などの取り外し可能な情報記録媒体の装填を検出するためのものであり、例えば、各種センサが例示できるが、情報記録媒体の装填を検出できるものであれば、どのようなセンサを用いても良い。また、媒体装填確認部１１は、検出した結果を検出信号として制御部１３へ出力するようになっている。
【００９９】
媒体制御回路群１２は、制御部１３の制御により、情報記録媒体への情報の記録または再生を行うものである。例えば情報記録媒体に記録する情報としては登録情報が挙げられ、読み出して再生する情報としては機能情報が挙げられる。
【０１００】
制御部１３は、主として、初期制御部２１、再生制御部２２（再生制御手段）、記録制御部２３、使用状況確認部２４（判定手段）、登録機能実行部２６、表示制御部２７、操作取得部２８および通信制御部２９を備え、例えば制御プログラムを実行することにより、電子機器１を構成する部材を制御するものである。制御部１３は、電子機器１に備えられた記憶部１４に格納されているプログラムを、例えばＲＡＭ（Random Access Memory）等で構成される一次記憶部（不図示）に必要に応じて読み出して実行することにより各種処理を行う。具体的な構成については後述する。
【０１０１】
記憶部１４は、制御部１３が実行する（１）各部の制御プログラム、（２）ＯＳプログラム、（３）アプリケーションプログラム、および、（４）これらプログラムを実行するときに読み出す各種データを記録するものである。記憶部１４は、例えばＨＤＤ（Hard Disk Drive）、半導体メモリ等の記憶装置によって構成されるものであり、必要に応じてＲＯＭ（Read Only Memory）フラッシュメモリなどの不揮発性の記憶装置が備えられる。なお、上述した一次記憶部は、ＲＡＭなどの揮発性の記憶装置によって構成されているが、本実施の形態では、記憶部１４が一次記憶部の機能も備えているものとして説明する場合もある。記憶部１４は、例えば後述の場面情報、ユーザ登録データベースなどを格納する。また、登録情報を記憶部１４に保存する場合には、記憶部１４には、登録情報を保存するための登録情報保存領域が設けられ、当該領域に登録情報が保存される。
【０１０２】
表示部１５は、表示制御部２７に制御されることにより、例えば機能情報の表示、「登録ボタン」の表示、機能情報を再生するか否かを問合せる問合せ画像の表示や、機能および機能が使用可能な旨を通知するための表示を行うなど、電子機器１の制御に必要な情報を表示するものである。表示部１５は、例えば液晶パネルにより構成されているが、これに限らず、有機ＥＬ（Electro Luminescence）パネルなどが用いられていてもよい。なお、電子機器１は、上記画像が示す情報をユーザに提示可能な部材であれば、表示部１５に代えて当該部材を備えていてもよい。このような部材としては例えばスピーカーなどが挙げられ、この場合には、例えば機能情報が再生されると、その内容を音声にてユーザに提示することが可能となる。
【０１０３】
なお、「登録ボタン」とは、ユーザが、機能情報が示す機能の説明を確認して、その機能を登録したいときに触れることで電子機器１に当該機能を登録するためのＧＵＩ（Graphical User Interface）や、操作部１６に設けられるキー（例えば「ＥＮＴＥＲ」キー）である。
【０１０４】
操作部１６は、ユーザが表示部１５に表示される画像を見ながら入力操作を行うためのものであり、例えば「ＥＮＴＥＲ」キーや矢印キーなどの各種キーが挙げられる。
【０１０５】
なお、表示部１５および操作部１６は、電子機器１が備える部材として説明しているが、これに限らず、電子機器１とは別の装置として設けられ、電子機器１と有線または無線、赤外線などにて接続された構成であってもよい。
【０１０６】
次に、図１を参照しながら、制御部１３の具体的な構成について説明する。
【０１０７】
初期制御部２１は、磁気ディスク９０の挿入後にユーザ登録や認証を行うための処理（ユーザ登録処理）や、磁気ディスク９０に複数の機器の機能情報が記録されている場合に、どの機器の機能情報を表示部１５に表示させるかをユーザに選択させるための処理（機能情報選択処理）などの初期制御処理を行うものである。また、初期制御処理には、磁気ディスク９０に機能取得情報が記録されているか否かを確認し、機能取得情報が記録されている場合に、機能情報を外部から取得させる処理（機能情報取得処理）が含まれる。初期制御部２１は、これらの処理を行うために、ユーザ登録処理部２１１、認証部２１２、機能情報種別確認部２１３、機能情報取得制御部２１４を備えている。
【０１０８】
ユーザ登録処理部２１１は、ユーザ登録に関する処理を行うものであり、例えば、アカウントおよびパスワードをユーザに入力させるための初期画像、ユーザ登録を行わせるためのユーザ登録用画像を表示部１５に表示させるように表示制御部２７に指示する。また、ユーザ登録処理部２１１は、記憶部１４に保存されているユーザ登録データベースに、ユーザにより入力されたユーザ登録情報（個人識別情報）を記録する。
【０１０９】
認証部２１２は、記憶部１４に保存されているユーザ登録データベースを参照することにより、ユーザが入力したアカウントおよびパスワードの認証を行うものである。
【０１１０】
機能情報種別確認部２１３は、再生制御部２２が読み出した機能情報、または、再生制御部２２が読み出した機能取得情報に対応する機能情報が、複数の機器の機能情報を示すものであるか否かを判定するものである。
【０１１１】
機能情報取得制御部２１４は、再生制御部２２が読み出した情報が機能情報であるか機能取得情報であるか否かの判定を行い、機能取得情報であると判定した場合には、通信制御部２９に、外部から、当該機能取得情報に関連付けられた機能情報（追加情報）を取得するように指示するものである。
【０１１２】
再生制御部２２は、主として、媒体制御回路群１２を制御することにより、磁気ディスクに記録されている機能情報または機能取得情報を読み出して再生するものである。換言すれば、再生制御部２２は、電子機器１あるいは電子機器１とは異なる他の機器が有する機能であって、機器の使用状況に応じて使用可否が変更される機能に関する情報である機能情報、または、当該機能情報を外部から取得するための機能取得情報が記録された磁気ディスクから、当該機能情報または当該機能取得情報を読み出して再生制御するものといえる。
【０１１３】
また、再生制御部２２は、各機能の説明を行うか（機器情報を再生させるか）否かを判定し、当該説明を行わない場合には、ユーザが機器操作を行ったときのユーザ操作に対応するアプリケーションを実行するものである。
【０１１４】
さらに、再生制御部２２は、登録情報有無判定部２２１を備えている。登録情報有無判定部２２１は、記憶部１４の登録情報保存領域に記録されている登録情報を読み出す処理を実行することで、登録情報が登録情報保存領域に保存されているか否かを判定するものである。
【０１１５】
記録制御部２３は、主として、操作部１６を介してのユーザの指示に基づいて、記憶部１４の登録情報保存領域に登録情報を記録するか、あるいは、媒体制御回路群１２を制御することにより、磁気ディスク９０、または、磁気ディスク９０とは異なる他の情報記録媒体（第２情報記録媒体）に設けられた登録情報保存領域に登録情報を記録するものである。この処理を実現するために、記録制御部２３は、登録情報記録部２３１（登録情報記録手段）を備えている。換言すれば、登録情報記録部２３１は、再生制御部２２が磁気ディスク９０から読み出した機能情報、または、再生制御部２２が磁気ディスク９０から読み出した機能取得情報に対応する機能情報のうち、ユーザが指定した機能情報が示す機能が使用可能な状況である場合に、当該機能が使用可能であることを通知させるために、当該ユーザが指定した機能情報を登録情報として記録するものといえる。なお、登録情報としては、上記機能情報の一部を切り出したものであってもよく、また、機能情報と対応付けられたコードや番号、磁気ディスク９０における機能情報の記録位置を示すアドレス情報など、ユーザが指定した機能情報全体（機能情報そのもの）でなくてもよく、ユーザが指定した機能情報を特定可能な情報であってもよい。つまり、登録情報記録部２３１は、ユーザが指定した機能情報の代わりに、ユーザが指定した機能情報を指定可能な情報であってもよいといえる。
【０１１６】
また、登録情報記録部２３１は、初期制御部２１にてユーザ登録処理が行われる場合には、登録情報を、電子機器１を利用するユーザを識別するためのユーザ登録情報と対応付けて記録するものである。
【０１１７】
さらに、記録制御部２３は、通信制御部２９から、外部から機能情報（追加情報）を取得した旨の通知を受けると、記憶部１４から機能情報を読み出し、磁気ディスク９０、または、磁気ディスク９０とは異なる他の情報記録媒体に記録する。
【０１１８】
使用状況確認部２４は、登録情報として登録情報保存領域に記録されている機能情報（もしくは機能情報を特定可能な情報）に対応する機能（登録機能）が使用可能な場面（シーン）か否かを確認するものである。換言すれば、登録情報記録部２３１により記録された登録情報が示す機能が使用可能な状況にあるか否かを判定するものである。
【０１１９】
登録機能実行部２６は、登録機能が選択され、当該登録機能を実行する旨の通知を受けると、当該登録機能を実行するものである。
【０１２０】
表示制御部２７は、表示部１５に各種画像を表示させるために、表示部１５を制御するものである。表示制御部２７は、機能情報表示制御部２７１（提示制御手段）および使用通知制御部２７２（通知制御手段）を備えている。
【０１２１】
機能情報表示制御部２７１は、再生制御部２２により読み出された機能情報、または、再生制御部２２に読み出された機能取得情報に対応する機能情報を表示部１５に表示させることにより、機能情報をユーザに提供するものである。換言すれば、機能情報表示制御部２７１は、表示部１５やスピーカーなどに機能情報を提示させるものであるといえる。
【０１２２】
また、機能情報表示制御部２７１は、再生制御部２２が磁気ディスク９０から複数の機器の機能情報を読み出した場合に、その機能情報の中から選択された機能情報を表示部１５に表示させるものである。一方、機能情報表示制御部２７１は、再生制御部２２が磁気ディスク９０から複数の機能取得情報を読み出した場合には、その機能取得情報から選択された機能取得情報に対応する機能情報を表示部１５に表示させるものである。換言すれば、機能情報表示制御部２７１は、再生制御部２２が読み出した複数の機器の機能情報から選択された機能情報、または、再生制御部２２が読み出した複数の機能取得情報に対応する複数の機能情報から選択された機能情報を提示させるものといえる。
【０１２３】
使用通知制御部２７２は、使用状況確認部２４により登録機能が使用可能な場面であると確認された場合に、当該登録機能を表示部１５に表示させるとともに、当該登録機能が使用可能である旨の通知を表示部１５を介して行うものである。換言すれば、使用状況確認部２４により機能が使用可能な状況であると判定された場合に、当該機能が使用可能であることを通知させるものである。
【０１２４】
操作取得部２８は、操作部１６を介してユーザが入力した操作を取得するものである。
【０１２５】
通信制御部２９は、機能情報取得制御部２１４の制御により、再生制御部２２が磁気ディスク９０から機能取得情報を取得した場合に、外部から、当該機能情取得情報に関連付けられた機能情報（追加情報）を取得するものである。また、通信制御部２９は、外部から機能取得情報に対応する機能情報を取得すると、当該機能情報を、上記磁気ディスクから取得した機能情報として記憶部１４に保存する。さらに、通信制御部２９は、磁気ディスク９０に、または、磁気ディスク９０とは異なる情報記録媒体に機能情報を記録する場合には、外部から機能情報を取得した旨を通知する。
【０１２６】
〔電子機器１における処理の流れ〕
次に、図２に基づき、本実施の形態に係る電子機器１における処理の流れの一例について説明する。図２は、電子機器１における処理の流れの一例を示すフローチャートである。なお、ここでは、挿入される磁気ディスク９０に機能情報が記録されている場合について説明し、磁気ディスク９０に機能取得情報が記録されている場合については、後述の〔初期制御処理について〕にて説明する。
【０１２７】
まず、機能情報が記録されている磁気ディスク９０が、電子機器１が備えるスロット（図示せず）に挿入される。すなわち、機能情報が記録されている情報記録媒体が挿入される（ステップＳ１（以降、単に「Ｓ１」と称す））。このとき、媒体装填確認部１１は、磁気ディスクが装填されたことを示す検出信号を再生制御部２２に送信する。
【０１２８】
再生制御部２２では、上記検出信号を受信すると、登録情報有無判定部２２１が記憶部１４に設けられた登録情報保存領域に記録されている登録情報を読み出す処理を実行することで（Ｓ２）、登録情報が登録情報保存領域に記録（保存）されているか否かを判定する（Ｓ３）。なお、登録情報は、ユーザが指定した機能情報、または、ユーザが指定した機能情報を特定可能な情報のことであり、記憶部１４に格納されていなくてもよく、機能情報が記録されている磁気ディスク９０に設けられた登録情報保存領域に記録されていてもよい。また、電子機器１がスロットを複数備えている場合には、機能情報が記録されている磁気ディスク９０とは異なる他の情報記録媒体に設けられた登録情報保存領域に登録情報が記録されていてもよい。従って、これらの場合には、登録情報有無判定部２２１は、記憶部１４あるいは他の情報記録媒体に登録情報が記録されているか否かを判定する。
【０１２９】
登録情報有無判定部２２１は、記憶部１４の登録情報保存領域に登録情報が記録されていないと判定した場合（Ｓ３でＮＯ、磁気ディスクの初回使用時）、表示制御部２７にその旨を通知する。表示制御部２７の機能情報表示制御部２７１は、登録情報が登録情報保存領域に記録されていない旨の通知を受けると、磁気ディスク９０から機能情報を読み出すように再生制御部２２に指示する。再生制御部２２は、媒体制御回路群１２を制御することにより、磁気ディスク９０に記録されている機能情報を読み出し、機能情報表示制御部２７１に送信する。機能情報表示制御部２７１は、機能情報を受信すると、表示部１５に当該機能情報を表示させる。機能情報表示制御部２７１は、表示部１５を介して、機能情報（機能説明）をユーザに提供する（Ｓ４）。このとき、機能情報表示制御部２７１は、機能情報とともに「登録ボタン」を表示部１５に表示させる。なお、機能情報表示制御部２７１は、「登録ボタン」を表示部１５に表示させなくてもよく、この場合には、操作部１６の何れかのキー（例えば「ＥＮＴＥＲ」キー）が「登録ボタン」として割り当てられている。なお、再生制御部２２は、例えばＳ１の処理時に機能情報を磁気ディスク９０から既に読み出し、記憶部１４に記憶している場合には、当該機能情報を記憶部１４から読み出し、機能情報表示制御部２７１に送信してもよい。
【０１３０】
機能情報表示制御部２７１が機能情報を表示部１５に表示させている間に、電子機器１は、ユーザが登録動作を行ったか否かを判定する（Ｓ５）。具体的には、操作取得部２８が、表示部１５に表示されている「登録ボタン」、または操作部１６のキーとして割り当てられた「登録ボタン」がクリックされたことを示すクリック信号を受信したとき、ユーザが登録動作を行ったと判定する。操作取得部２８は、例えば「登録ボタン」が表示されている場合には、登録情報保存領域から「登録ボタン」が表示されている表示部１５における画面の位置座標を取得しておき、クリック信号を解析して、クリックされた位置が「登録ボタン」の位置座標内に含まれるかを判断することにより、ユーザの登録動作を判定する。また、操作取得部２８は、所定の時間ごとに操作部１６からのクリック信号を受信していてもよく、この場合、クリック信号にはクリックの有無を示すデータ（例えば２値データ）が含まれる。
【０１３１】
操作取得部２８は、ユーザが登録動作を行ったと判定した場合（Ｓ５でＹＥＳ）、記録制御部２３にその旨を通知する。記録制御部２３の登録情報記録部２３１は、登録動作が行われた旨の通知を受けると、「登録ボタン」がクリックされたときに表示部１５に表示されていた機能情報に例えばフラグを付けたり、当該機能情報に対応する機能を登録情報テーブルに記録することにより、当該機能情報（もしくは当該機能情報を特定可能な情報）を登録情報として記録（保存）する（Ｓ６）。そして、登録情報記録部２３１は、登録情報を記憶部１４に保存すると、その旨を表示制御部２７に通知する。なお、登録情報記録部２３１は、登録情報を、記憶部１４、磁気ディスク９０または磁気ディスク９０とは異なる他の情報記録媒体に設けられた登録情報保存領域に記録する。図２に示すフローチャートでは、記憶部１４の登録情報保存領域に登録情報が保存されるものとして説明する。
【０１３２】
一方、操作取得部２８は、例えば所定の時間「登録ボタン」がクリックされないことにより、ユーザが登録動作を行っていないと判定した場合（Ｓ５でＮＯ）、その旨を登録情報記録部２３１に通知する。この場合には、登録情報記録部２３１は、登録情報の記録を行わず、その旨を表示制御部２７に通知する。
【０１３３】
表示制御部２７の機能情報表示制御部２７１は、登録情報が記録された旨、または、記録されなかった旨の通知を受けると、磁気ディスク９０から読み出した機能情報のすべてを表示させたか否かを確認し、機能説明を終了するか否かを判定する（Ｓ７）。
【０１３４】
機能情報表示制御部２７１は、すべての機能情報を表示させたと判断した場合には（Ｓ７でＹＥＳ）、機能説明を終了し、Ｓ２の処理に戻る。このとき、機能情報表示制御部２７１は、登録情報記録部２３１からの通知がすべて、登録情報の記録を行っていないことを示していた場合には、機能説明を終了する旨を登録情報記録部２３１に通知する。この場合、登録情報記録部２３１は、すべての機能説明を終了したことを示す機能説明完了情報を、登録情報の代わりに記憶部１４の登録情報保存領域に記録する。すなわち、登録情報有無判定部２２１は、登録情報保存領域から機能説明完了情報を読み出した場合に、当該領域に登録情報が記録されていると判定する。一方、すべての機能情報を表示させていないと判断した場合には（Ｓ７でＮＯ）、次の機能情報を表示部１５に表示させるべく、Ｓ４の処理に戻る。
【０１３５】
また、上記Ｓ３の処理で、登録情報有無判定部２２１は、記憶部１４の登録情報保存領域を参照して登録情報が記録されていることを確認することにより、登録情報保存領域に登録情報が記録されていると判定した場合（Ｓ３でＹＥＳ、初回登録完了後（２回目以降の使用時））、その旨を表示制御部２７に送信する。表示制御部２７は、登録情報保存領域に登録情報が記録されている旨の通知を受けると、記憶部１４から所定のアプリケーションを読み出し、当該アプリケーションに基づく画像を表示部１５に表示させる。
【０１３６】
その後、ユーザが電子機器１に対する操作（機器操作）を行うと、操作取得部２８は、操作部１６を介して当該操作を取得し、その旨を再生制御部２２に通知する（Ｓ８）。
【０１３７】
再生制御部２２は、ユーザが機器操作を行った旨の通知を受けると、各機能の説明を行うか（機器説明を再生させるか）否かを判定するために、表示制御部２７に問合せ画像の表示を指示する（Ｓ９）。表示制御部２７の機能情報表示制御部２７１は、再生制御部２２から指示を受けると、機能の説明を行うか否かを示す問合せ画像を表示部１５に表示させる。
【０１３８】
ユーザは、表示部１５に問合せ画像（メニュー画面）を確認し、電子機器１に対して機能説明を行うか否かの操作を操作部１６を介して行う。操作取得部２８は、この操作が機能説明を行う旨の操作であると判断した場合には、その旨を再生制御部２２に通知する。再生制御部２２は、ユーザ操作が機能の説明を行う旨の操作である旨の通知を受けると、機能の説明を行うものと判定し（Ｓ９でＹＥＳ）、Ｓ４の処理に移行する。一方、再生制御部２２は、ユーザ操作が機能の説明を行わない旨の操作である旨の通知を受けると、機能の説明を行わないものと判定し（Ｓ９でＮＯ）、Ｓ８の処理で操作取得部２８が取得したユーザ操作に対応するアプリケーション（ユーザ選択動作）を実行し（Ｓ１０）、その旨を使用状況確認部２４に送信する。すなわち、Ｓ９では、電子機器１は、メニュー画面を表示することにより、機能説明を確認するか、機器操作をするかを、ユーザに選択させるようにしている。
【０１３９】
使用状況確認部２４は、ユーザ選択動作が実行された旨の通知を受けると、登録情報として登録情報保存領域に記録された機能情報（もしくは当該機能情報を特定可能な情報）に対応する機能（登録機能）が使用可能な場面（シーン）か否かを確認する（Ｓ１１）。例えば、記憶部１４には、機能とその機能が使用できる場面とを対応付けた場面情報が保存されており、使用状況確認部２４は、当該場面情報と、登録情報記録部２３１によって保存された登録情報とを参照することにより、登録機能が使用可能な場面であるか否かを判定する。
【０１４０】
使用状況確認部２４は、登録機能が使用可能な場面であると判定した場合（Ｓ１１でＹＥＳ）、その旨を表示制御部２７に通知する。表示制御部２７の使用通知制御部２７２は、登録機能が使用可能な場面である旨の通知を受けると、当該登録機能を表示部１５に表示させるとともに、当該登録機能が使用可能である旨の通知を表示部１５を介して行う（Ｓ１２）。なお、このとき、使用状況確認部２４は、登録機能を表示するとともに、登録機能の機能説明（機能情報）を表示するように表示制御部２７に指示を行ってもよい。この場合、ユーザは、機能情報を確認しながら実際に操作を行う（機能を実行させる）ことができるので、当該機能情報がユーザの記憶に残りやすい。
【０１４１】
その後、操作取得部２８は、操作部１６を介してユーザにより登録機能が選択されたか否かを判定する（Ｓ１３）。操作取得部２８は、ユーザが登録機能を選択した旨の操作を取得すると、登録機能が選択されたと判定し（Ｓ１３でＹＥＳ）、その旨を登録機能実行部２６に通知する。登録機能実行部２６は、登録機能が選択された旨の通知を受けると、当該登録機能を実行する（Ｓ１４）。そして、登録機能実行部２６は、ユーザ操作に対応するアプリケーションが終了しているか否かを判定し（Ｓ１５）、動作が終了していると（Ｓ１５でＹＥＳ）、図２のフローチャートに従った処理を終了する。一方、登録機能実行部２６が、上記アプリケーションが終了していないと判定した場合には、Ｓ１０の処理に戻る。なお、Ｓ１１でＮＯおよびＳ１３でＮＯの場合には、Ｓ１５の処理に移行する。
【０１４２】
なお、本実施の形態では、図２のフローチャートに示すように、磁気ディスク９０に登録情報が記録されていない場合（Ｓ３でＮＯの場合）、機能情報についての説明を行い（Ｓ４）、ユーザが登録動作を行うことにより（Ｓ５）、登録情報が記録される（Ｓ６）形態について示したが、必ずしも登録情報を記録しないと機器動作ができないように設定される必要は無い。例えば、Ｓ３でＮＯの場合には、ユーザに対して機能情報を表示するか否かの選択を提示し、ユーザが機能情報を表示しない旨の選択を行った場合には、ユーザの機器操作（Ｓ８）およびユーザ選択動作の実行（Ｓ１０）のみを行い、当該動作が終了すると、本フローチャートが終了する形態であってもよい。
【０１４３】
以上のように、電子機器１（およびその制御方法）では、登録情報記録部２３１（登録情報記録ステップ）は、再生制御部２２（再生制御ステップ）が読み出した機能情報、または、機能取得情報に対応する機能情報のうち、ユーザが指定した機能情報が示す機能が使用可能な状況である場合に、当該機能が使用可能であることを通知させるために、当該ユーザが指定した機能情報、または、当該ユーザが指定した機能情報を特定可能な情報を登録情報として記録する。
【０１４４】
これにより、電子機器１または他の機器において、機能情報（例えば取扱説明書）に示される機能の利用場面に即して（すなわち適切なタイミングで）その機能が使用可能ならば、その旨をユーザに通知させる（ユーザ支援を行う）ことができる。このため、機能が利用可能な場面において、ユーザが当該機能を使い損なうことがないようにすることができる。例えばユーザがその機能の内容について忘れてしまい、当該機能の存在や機能の利用場面がわからなくなっていたとしても、その場面において便利な機能が利用されず無駄になるといった状況を回避することができる。
【０１４５】
また、使用通知制御部２７２（通知制御ステップ）は、使用状況確認部２４（判定ステップ）が、登録情報記録部２３１により記録された登録情報が示す機能が使用可能な状況にあるか否かを判定した場合に、当該機能が使用可能であることを通知するので、この場合には、電子機器１自身において、機能情報に示される機能の利用場面に即してその機能が使用可能ならば、その旨をユーザに確実に通知することができる。
【０１４６】
なお、機能情報が記録されている磁気ディスク９０（第１情報記録媒体）は、電子機器１に挿入可能な（換言すれば取り外し可能な）情報記録媒体である。つまり、磁気ディスク９０が電子機器１に挿入されることをトリガーとして上記の各部（各ステップ）による処理が行われ、機能情報に示される機能の利用場面に即してその機能が使用可能ならば、その旨をユーザに通知することができる。すなわち、例えば電子機器１の操作に精通していないユーザであっても、機能情報が記録されている磁気ディスク９０を電子機器１に挿入するだけで、上記の通知を受けることができ、機能を有効に活用することができる。
【０１４７】
また、再生制御部２２が磁気ディスク９０から読み出した機能情報をユーザに提示するので、ユーザは、提示された機能情報を確認することにより、登録したい（利用したい）機能を指定することができる。
【０１４８】
さらに、ユーザが電子機器１あるいはその他の機器の操作に精通していない場合であっても、これらの機器の機能情報（もしくは当該機能情報を特定可能な情報）を登録情報として記録しておくだけでよい。例えば登録したい機能の機能情報が提示されたときに、当該機能を指定するための操作（例えば登録ボタンを押す）を行うだけで、登録情報の記録を行うことができる。このため、例えばユーザがメニュー画面を開き、当該画面に提示される個々の機能について、利用可能な場面での機能の提示の有無を選択するといった複雑な手順を踏む必要がないので、機器の操作に精通していないユーザであっても機能を有効に利用することができる。
【０１４９】
また、機能情報が記録されている磁気ディスク９０が挿入された後に、登録機能が使用可能な場面か否かを判定し、当該登録機能が使用可能であることをユーザに提示しているので、磁気ディスク９０が挿入されない場合には上記のような通知が行われない。すなわち、例えば電子機器１あるいはその他の機器の操作に精通しているユーザが上記の通知を必要としない場合には、磁気ディスク９０を挿入しなければよい。このため、ユーザが上記の通知を受けたいか否かの判断を、磁気ディスク９０を挿入するか否かによって決定すればよいので、利便性の高い電子機器１を提供することができる。
【０１５０】
また、記憶部１４に登録情報保存領域が設けられ、登録情報記録部２３１は当該領域に登録情報を記録してもよい。すなわち、登録情報記録部２３１は、登録情報保存領域が磁気ディスク９０は異なる他の情報記録媒体（第２情報記録媒体）に登録情報を記録する。このため、例えば磁気ディスクが紛失したり故障した場合であっても、記憶部１４を参照することにより、機能の利用場面に即して当該機能をユーザに通知することができる。なお、第２情報記録媒体として、例えばＨＤＤ（Hard Disk Drive）や半導体メモリ等の記憶装置などで構成される記憶部１４を挙げて説明したが、これに限らず、光ディスク、磁気ディスク、ＳＤ（Secure Digital）カード、メモリースティック（登録商標）などの電子機器１に挿入可能な（換言すれば取り外し可能な）情報記録媒体であってもよい。
【０１５１】
また、上記では、記憶部１４に登録情報保存領域が設けられ、当該領域に登録情報が記録される場合について説明したが、これに限らず、登録情報保存領域が磁気ディスク９０に設けられていてもよい。この場合には、登録情報記録部２３１は、機能情報が記録された磁気ディスク９０に登録情報を記録する（すなわち、電子機器１に用いられる磁気ディスク９０には、機能情報および登録情報が記録されている）ので、他の機器に磁気ディスク９０が挿入された場合に、当該他の機器が磁気ディスク９０に記録された登録情報を用いることができる。このため、他の機器が登録情報の記録を行うことができない機器であっても、磁気ディスク９０を挿入するだけで、当該機器に登録情報を利用させることができる。一方、登録情報の記録を行うことが可能な機器であっても、再度登録情報の記録を行わせる必要がないので、ユーザの負担を軽減することができる。また、互いに関連のある機能情報と登録情報とが一体に保存されるので、個別に情報を紛失する虞が無くなる。
【０１５２】
また、磁気ディスク９０には、磁気ディスク９０の出荷時の機能情報、機能取得情報に対応する機能情報、または、追加情報の少なくとも１つが機能情報として記録されている。このため、電子機器１は、出荷時の機能情報だけでなく、記憶部１４または外部（例えばネットワーク上）から取得した情報をも機能情報として利用することができる。特に、磁気ディスク９０が出荷時の機能情報および追加情報を有することにより、電子機器１は最新の機能情報に対する処理を行うことができる。
【０１５３】
なお、磁気ディスク９０には機能取得情報が記録されている。電子機器１は、再生制御部２２が機能取得情報を読み出すことにより、記憶部１４または外部から取得した機能情報を、磁気ディスク９０に記録された機能情報として処理を行う。このため、機能情報の代わりに（または、機能情報の一部として）、当該機能情報より容量が小さい機能取得情報を記録しておくことにより、磁気ディスク９０の記録領域を増やすことができる。
【０１５４】
また、本実施の形態では、機能情報が磁気ディスク９０に記録されている形態（直接保存されている形態）について示したが、機能情報の一部、または、機能情報を取得するための機能取得情報が磁気ディスク９０に記録されており、残りの機能情報は記憶部１４に予め保存されているか、インターネット等のネットワークを介して取得するもの（間接的に保存されている形態）であっても構わない。すなわち、磁気ディスク９０を介して間接的に機能情報を再生するものであっても構わない。上記ネットワークを介して取得された機能情報は磁気ディスクに保存されても良く、記憶部１４に保存されても構わない。
【０１５５】
〔初期制御処理について〕
次に、電子機器１を複数のユーザが使用する場合、および、磁気ディスク９０に複数の機器の機能情報が記録されている場合の電子機器１における処理の一例について説明する。この場合、Ｓ１の処理（磁気ディスク９０の挿入）後、ユーザ登録処理および機能情報選択処理を含む初期制御処理が行われる。
【０１５６】
この場合、Ｓ１の処理時に、媒体装填確認部１１は、磁気ディスクが装填されたことを示す検出信号を（再生制御部２２ではなく）初期制御部２１に送信する。初期制御部２１のユーザ登録処理部２１１は、アカウントおよびパスワードを入力させるための初期画像を表示部１５に表示させるように表示制御部２７に指示する。表示制御部２７は、この指示を受けると、表示部１５に初期画像を表示させる。なお、初期画像には、ユーザ登録を行うか否かの問合せを行うための画像も含まれている。
【０１５７】
操作取得部２８が、操作部１６を介してアカウントおよびパスワードの入力を示す操作を取得すると、この入力結果を初期制御部２１に通知する。初期制御部２１の認証部２１２は、この入力結果を受信すると、記憶部１４に保存されているユーザ登録データベースを参照することにより、上記アカウントおよびパスワードの認証を行う。認証部２１２が認証に成功すると、その旨を機能情報種別確認部２１３に通知する。なお、ユーザ登録データベースとは、アカウントおよびパスワードとユーザ情報（ユーザの氏名などを示す情報）とが対応付けられたユーザ登録情報である。
【０１５８】
機能情報種別確認部２１３は、この通知を受けると、すべての機能情報を読み出すように再生制御部２２に指示する。再生制御部２２は、この指示を受けると、磁気ディスク９０に記録されているすべての機能情報を読み出し、当該すべての機能情報を初期制御部２１に送信する。初期制御部２１の機能情報種別確認部２１３は、受信したすべての機能情報が、複数の機器の機能情報を示すものか否かを確認する。
【０１５９】
機能情報種別確認部２１３は、複数の機器の機能情報であることを確認した場合には、ユーザが使用する機器（磁気ディスク９０が挿入された機器）を選択させるための機器選択画像を表示部１５に表示させるように表示制御部２７に指示する。表示制御部２７は、この指示を受けると、表示部１５に機器選択画像を表示させる。そして、操作取得部２８が、操作部１６を介して機器の選択を示す操作を取得すると、この選択結果を初期制御部２１に通知する（機能情報選択処理）。初期制御部２１の機能情報種別確認部２１３は、この選択結果を受信すると、当該選択結果が示す機器の機能情報を用いるように、表示制御部２７の機能情報表示制御部２７１に通知する。機能情報表示制御部２７１は、この通知を受けている場合には、上記選択結果が示す機器の機能情報だけを表示部１５に表示させる。
【０１６０】
なお、認証部２１２が認証に失敗すると、その旨をユーザに通知し、再び初期画像を表示部１５に表示させるように表示制御部２７に指示する。
【０１６１】
また、操作取得部２８が、操作部１６を介してユーザ登録を行う旨の操作を取得すると、その旨を初期制御部２１に通知する。初期制御部２１のユーザ登録処理部２１１は、この通知を受けると、ユーザ登録を行わせるためのユーザ登録用画像を表示部１５に表示させるように表示制御部２７に指示する。表示制御部２７は、この指示を受けると、表示部１５にユーザ登録用画像を表示させる。
【０１６２】
操作取得部２８が、操作部１６を介して氏名、アカウントおよびパスワードなどユーザ登録情報の入力を示す操作を取得すると、この入力結果を初期制御部２１に通知する。初期制御部２１のユーザ登録処理部２１１は、この入力結果を受信すると、記憶部１４のユーザ登録データベースに、入力されたユーザ登録情報を記録する（ユーザ登録処理）。そして、認証部２１２による認証が行われ、当該認証が成功した後にＳ６の処理（登録情報の保存）が行われるとき、登録情報記録部２３１は、例えば、当該登録情報保存領域における当該登録情報の記録位置を示すアドレス情報を、認証に成功したユーザ登録情報と対応付けてユーザ登録データベースに記録する。
【０１６３】
次に、磁気ディスク９０に機能取得情報が記録されている場合（機能取得情報とともに機能情報の一部が記録されている場合）の電子機器１における処理の一例について説明する。この場合、Ｓ１の処理後、機能情報取得処理が行われるものとして説明する。なお、これに限らず、例えばＳ４の処理時に機能情報取得処理が行われてもよく、この場合、再生制御部２２は、磁気ディスク９０から読み出す機能情報として、記憶部１４に保存されている機能情報を読み出す。
【０１６４】
Ｓ１の処理時に、媒体装填確認部１１は、磁気ディスク９０が装填されたことを示す検出信号を再生制御部２２に送信する。再生制御部２２は、この検出信号を受信すると、媒体制御回路群１２を制御することにより、磁気ディスク９０において機能情報または機能取得情報が記録されている機能情報保存領域から、当該機能情報または機能取得情報を読み出し、初期制御部２１に送信する。
【０１６５】
初期制御部２１の機能情報取得制御部２１４は、再生制御部２２から読み出した情報が機能情報であるか機能取得情報であるかの判定を行い、機能情報であると判定した場合には、読み出した機能情報を記憶部１４に保存する。一方、機能情報取得制御部２１４は、機能取得情報であると判定した場合には、当該機能取得情報を通信制御部２９に送信するとともに、当該機能取得情報を用いて、外部のネットワークや、Ｓ１において挿入された磁気ディスク９０とは異なる情報記録媒体から、当該機能情取得情報に関連付けられた機能情報（追加情報）を取得するように指示する。通信制御部２９は、外部から機能取得情報に対応する機能情報を取得すると、当該機能情報を、磁気ディスク９０から取得した機能情報として記憶部１４に保存する。
【０１６６】
また、磁気ディスク９０に機能情報を記録する場合には、通信制御部２９は、外部から機能情報を取得した旨を記録制御部２３に通知する。記録制御部２３は、この通知を受けると、媒体制御回路群１２を制御することにより、機能取得情報が記録されている磁気ディスク９０に当該機能情報（追加情報）を記録する。
【０１６７】
なお、磁気ディスク９０に機能取得情報が記録されている場合に機能情報選択処理が行われる場合には、再生制御部２２は、複数の機能取得情報を取得し、初期制御部２１に送信する。初期制御部２１の機能情報取得制御部２１４は、これら複数の機能取得情報を通信制御部２９に送信するとともに、外部から、当該機能取得情報に関連付けられた複数の機能情報を取得するように指示する。通信制御部２９は、外部から取得した複数の機能取得情報に対応する複数の機能情報を、磁気ディスク９０から取得した機能情報として記憶部１４に保存し、その旨を初期制御部２１に通知する。
【０１６８】
初期制御部２１の機能情報種別確認部２１３は、この通知を受けると、記憶部１４に保存された機能情報をすべて読み出し、当該すべての機能情報が、複数の機器の機能情報を示すものであるか否かを確認する。その後の処理については、上記にて説明した機能情報選択処理と同様である。
【０１６９】
以上のように、登録情報記録部２３１が登録情報をユーザ登録情報と対応付けて記録するので、電子機器１を利用するユーザ毎に登録情報を保存することができる。これにより、電子機器１は、ユーザ毎に登録情報を管理することができるので、任意のユーザが登録した登録情報を他のユーザに知られることを防ぐことができ、セキュリティーの向上を図ることができる。また、あるユーザが登録した登録情報を他のユーザが間違えて利用してしまう誤使用を防ぐことができる。更には、同一の情報記録媒体に複数ユーザの登録情報が記録されていてもユーザ毎に固有の登録情報を使用できるため、情報記録媒体を交換すること無く、複数のユーザそれぞれが登録した登録情報を個別に活用可能となる。
【０１７０】
また、ユーザの機器操作時に、使用状況確認部２４が各ユーザに対応する登録情報を参照して使用可能な場面かを判定することができるので、使用通知制御部２７２は、電子機器１を利用するユーザ毎に登録機能が使用可能であることの通知を表示部１５を介して行うことができる。すなわち、電子機器１は、ユーザの利便性を向上させることができる。
【０１７１】
また、磁気ディスク９０に、複数の機器の機能情報、または、当該複数の機器の機能情報を外部から取得するための複数の機能取得情報が記録されている場合には、機能情報選択処理が行われ、機能情報表示制御部２７１が、複数の機器の機能情報（または、複数の機能取得情報）から選択された機能情報を提示させる。表示部１５に表示される機能情報は選択された機能情報であるため、ユーザは、機能説明を受けようとする機器（磁気ディスク９０が挿入されている機器）の機能情報を選択的に確認することができる。
【０１７２】
なお、上記では、初期制御処理として、ユーザ登録処理および機能情報選択処理の両方が行われているが、これに限らず、いずれか一方が行われる構成であってもよい。また、ユーザ登録処理および機能情報選択処理が行われる順序は問わない。さらに、機能情報取得処理が行われる場合には、機能情報選択処理の前に機能情報取得処理が行われることが好ましく、ユーザ登録処理および機能情報取得処理が行われる順序は問わない。
【０１７３】
また、上記では、ユーザの認証に際して、アカウントおよびパスワードを入力する方法について示したが、この他にも、予め登録されたユーザが表示部１５にリスト状に表示され、ユーザが操作部１６を介して表示部１５に表示された何れかのユーザを選択する形態を取ってもよい。
【０１７４】
さらに、複数の機器の機能情報からユーザが使用する機器を選択するのにあたって、上記では、ユーザが操作部１６を介して機器の選択を行う場合について示したが、この他にも、予め機器の機種番号や製造番号などが記憶部１４に保存され、磁気ディスク９０に保存された複数の機器の機能情報と照らし合わせることにより、ユーザの操作を必要とせず、自動的に使用機器を選択する方法を用いても構わない。
【０１７５】
〔実施の形態２〕
本発明の他の実施形態について図１、図３および図４に基づいて説明すれば、以下のとおりである。なお、実施の形態１と同様の部材に関しては、同じ符号を付し、その説明を省略する。
【０１７６】
本実施の形態に係る電子機器１は、実施の形態１と同じ機器を想定しているが、スロットには光ディスク１００（情報記録媒体）が挿入されるので、媒体装填確認部１１が光ディスク１００の装填を確認し、媒体制御回路群１２が光ディスク１００のＲＯＭ層（再生専用領域）またはＲＥ（RE-writable）層（記録可能領域）に制御を行う点で異なる。
【０１７７】
一方、機能情報または機能取得情報を記録している情報記録媒体としては、以下に説明する光ディスク１００を含むＤＶＤ（Digital Versatile Disc）やＢＤ（Blu-ray Disc）などの光情報記録媒体を想定している。本実施の形態では、例えば２層ＢＤ（ＲＯＭ／ＲＥ積層ディスク（コンビＢＤ））としての光ディスク１００に機能情報または機能取得情報が記録されている場合について説明する。すなわち、実施の形態１と同様、光ディスク１００には機能情報が直接、または、間接的に記録されているといえる。なお、本実施の形態では、光ディスク１００のＲＯＭ層に機能情報または機能取得情報が記録されており、ＲＥ層の登録情報保存領域に登録情報が記録される点（すなわち、再生制御部２２がＲＯＭ層から機能情報または機能取得情報を読み出し、記録制御部２３がＲＥ層に登録情報を記録する点）で、実施の形態１とは異なる。
【０１７８】
〔光ディスク１００について〕
まず、図３に基づき、本発明の一実施形態である光ディスク１００の概略構成について説明する。図３は、本発明の一実施形態である光ディスク１００の概略構成を示す図であり、図３（ａ）は、再生光入射側から見たときの光ディスク１００を示す図であり、図３（ｂ）は、光ディスク１００の各記録層の構成例を示す図である。
【０１７９】
まず、図３（ａ）に示すように、光ディスク１００は、その内周側に、管理領域１０１およびリードイン領域１０２を備えている。
【０１８０】
管理領域１０１は、光ディスク１００の最内周で、かつ、再生光入射側から最も遠い記録層（ＲＥ層）に設けられた領域であり、トラッキング制御が不要な領域またはフォーカス制御のみでアクセス可能なバーコード状の記録領域（管理領域記録領域）であり、例えばＢＣＡ（Burst Cutting Area）である。電子機器１は、光ディスク１００が挿入されると、まず管理領域１０１の情報を読み取りにいくように設計されている。また、管理領域１０１は、製造時にのみ情報の書き込みを行うことが可能な領域（すなわち書き換え不可能な領域）である。
【０１８１】
管理領域１０１には、主として、光ディスク１００の構造を示す識別情報が記録される。識別情報の具体例としては、光ディスク１００の記録層のタイプ（再生専用型、追記型、書き換え型）、光ディスク１００のサイズ、光ディスク１００のバージョン（速度等に関連）、サーボの極性、記録マークの極性および光ディスク１００固有の番号などが挙げられるが、管理領域１０１における各識別情報の記録順序（又は配置方法）は、任意であってよい。なお、これらの記録順序は、通常規格などによって決められている。
【０１８２】
リードイン領域１０２は、光ディスク１００において管理領域１０１の外周側に、記録層ごとに設けられた領域であり、光ディスク装置（実施の形態５の記録再生装置１０）が各層に対する処理を行う際に、最初に再生光が照射される（最初に情報が読み出される）記録領域である。また、リードイン領域１０２には、製造時にのみ情報の書き込みを行うことが可能な領域（すなわち書き換え不可能な領域）と、光ディスク装置に挿入された後に情報の書き換えを行うことが可能な領域とが設けられている。リードイン領域１０２には、例えば光ディスク１００への記録・再生の標準条件、各層に対する電子機器１のアクセスの許可不許可（アクセス制限）を示す情報、製造時の欠陥および使用中にできた欠陥の位置を示す情報などが記録されている。なお、この欠陥の位置を示す情報は、リードイン領域１０２およびリードアウト領域１０４内の欠陥管理領域に記録される。
【０１８３】
次に、図３（ｂ）は、再生光入射側から最も遠い記録層から記録層Ｌ０、Ｌ１、・・・と称する場合、記録層Ｌ０が、情報を記録することが可能な記録可能領域であるＲＥ層（書き換え可能な記録層）、記録層Ｌ１が、情報を読み出すことが可能な再生専用領域であるＲＯＭ層（再生専用の記録層）である場合の光ディスク１００の構成を示している。なお、ＲＥ層は、追記録可能な記録層をＲ（Recordable）層であってもよい。また、図３（ｂ）では、記録層Ｌ０およびＬ１だけを図示しているが、再生光入射側にさらに記録層を設けた構成であってもよい。換言すれば、光ディスク１００は、機能情報が記録された、情報を読み出すことが可能なＲＯＭ層と、情報を記録することが可能なＲＥ層とを備え、光ディスク１００は、ＲＯＭ層には機能情報が記録されており、ＲＥ層には登録情報が記録可能であるといえる。
【０１８４】
図示のように、記録層Ｌ０（ＲＥ層）には、管理領域１０１、リードイン領域１０２、ユーザデータ領域１０３およびリードアウト領域１０４が設けられている。なお、管理領域１０１およびリードイン領域１０２については上述したので、ここではその説明を省略する。
【０１８５】
ユーザデータ領域１０３は、機能情報、機能取得情報および登録情報が記録可能な領域である。具体的には、ＲＯＭ層のユーザデータ領域１０３には、機能情報または機能取得情報が記録されている。なお、ＲＯＭ層のユーザデータ領域１０３に記録されている情報としては、機能情報および機能取得情報に限らず、ディスクサプライヤー（製造業者）が用意したアプリケーションやコンテンツなどが予め記録されていてもよい。この場合、実施の形態５では、取得情報記録部２３２がこれらのアプリケーションおよびコンテンツをＲＥ層に記録することにより、後述の取得情報の代わりとして処理してもよい。
【０１８６】
一方、ＲＥ層のユーザデータ領域１０３には、登録情報記録部２３１により、登録情報が記録される。また、実施の形態５では、登録情報のほか、取得情報記録部２３２により、外部から取得した取得情報、すなわち外部のネットワークやテレビ放送などから取得したコンテンツ（録画したコンテンツ（テレビ映像など））や、当該コンテンツを編集した編集画像などの取得情報の記録が可能である。
【０１８７】
リードアウト領域１０４は、通常、光ディスク１００の各層の最外周側に設けられており、前述した欠陥の位置を示す情報などが記録されている。
【０１８８】
なお、本実施の形態では、光ディスク１００がＲＥ層（Ｒ層）およびＲＯＭ層からなる２層ＢＤである場合について説明するが、これに限らず、少なくともＲＥ層（Ｒ層）およびＲＯＭ層を少なくとも１層ずつ含む多層媒体であってもよい。
【０１８９】
〔電子機器１における処理の流れ〕
次に、図４に基づき、本実施の形態に係る電子機器１における処理の流れの一例について説明する。図４は、電子機器１における処理の流れの一例を示すフローチャートである。なお、以下の説明において、実施の形態１で用いられた磁気ディスク９０を光ディスク１００に置き換えれば実施の形態１と同様の処理が行われるステップについては、その説明を省略する場合がある。また、実施の形態１と同様、ここでは、挿入される光ディスク１００に機能情報が記録されている場合について説明するものとする。一方、機能取得情報が記録されている場合については、機能取得情報が光ディスク１００のＲＯＭ層に記録されているとすれば、上記の〔初期制御処理について〕での説明を引用できるので、その説明を省略する。
【０１９０】
まず、機能情報が記録されている光ディスク１００が、電子機器１が備えるスロット（図示せず）に挿入される（Ｓ２１）。このとき、媒体装填確認部１１は、光ディスク１００が装填されたことを示す検出信号を再生制御部２２に送信する。
【０１９１】
再生制御部２２では、上記検出信号を受信すると、登録情報有無判定部２２１が光ディスク１００のＲＥ層に設けられた登録情報保存領域に記録されている登録情報を読み出す処理を実行することで（Ｓ２２）、登録情報が登録情報保存領域に記録（格納）されているか否かを判定する（Ｓ２３）。
【０１９２】
登録情報有無判定部２２１は、ＲＥ層の登録情報保存領域に登録情報が記録されていないと判定した場合（Ｓ２３でＮＯ、光ディスク１００の初回使用時）、表示制御部２７にその旨を通知する。表示制御部２７の機能情報表示制御部２７１は、登録情報が登録情報保存領域に記録されていない旨の通知を受けると、光ディスク１００のＲＯＭ層から機能情報を読み出すように再生制御部２２に指示する。再生制御部２２は、媒体制御回路群１２を制御することにより、光ディスク１００に記録されている機能情報を読み出し、機能情報表示制御部２７１に送信する。機能情報表示制御部２７１は、機能情報を受信すると、表示部１５に当該機能情報を表示させる。機能情報表示制御部２７１は、表示部１５を介して、機能情報（機能説明）をユーザに提供する（Ｓ２４）。
【０１９３】
その後、図２に示すＳ５と同様の処理が行われ（Ｓ２５）、操作取得部２８によりユーザが登録動作を行ったと判定された場合（Ｓ２５でＹＥＳ）、記録制御部２３にその旨を通知する。記録制御部２３の登録情報記録部２３１は、登録動作が行われた旨の通知を受けると、媒体制御回路群１２を制御することにより、「登録ボタン」がクリックされたときに表示部１５に表示されていた機能情報（もしくは当該機能情報を特定可能な情報）を登録情報としてＲＥ層の登録情報保存領域に記録（保存）する（Ｓ２６）。なお、Ｓ２５でＮＯの場合については、図１に示すＳ５でＮＯの場合と同様の処理が行われる。また、Ｓ２７の処理は、図１に示すＳ７の処理と同様であるが、登録情報記録部２３１が、機能説明完了情報を記憶部１４ではなく、光ディスク１００のＲＥ層の登録情報保存領域に記録する処理が異なる。
【０１９４】
一方、上記Ｓ２３の処理で、登録情報有無判定部２２１は、光ディスク１００のＲＥ層の登録情報保存領域を参照して登録情報が記録されていることを確認することにより、登録情報保存領域に登録情報が記録されていると判定した場合（Ｓ２３でＹＥＳ、初回登録完了後（２回目以降の使用時））、その旨を表示制御部２７に送信する。その後のＳ２８〜Ｓ３５の処理については、機能情報が光ディスク１００のＲＯＭ層から読み出されること、および、登録情報保存領域が光ディスク１００のＲＥ層に設けられていること以外については、図２に示すＳ８〜Ｓ１５の処理と同様に行われるので、ここではその説明を省略する。
【０１９５】
以上のように、書き換えを必要としない機能情報がＲＯＭ層に記録され、追記または書き換えを必要とする登録情報がＲＥ層に記録されることで、機能情報を誤って消去してしまうことを防ぐことができる。また、互いに関連のある機能情報と登録情報とが一体に光ディスク１００に保存されるため、個別に情報を紛失する（どちらかの情報を紛失する）虞が無くなる。また、電子機器１を使用する毎にユーザに登録情報の記録を行わせる必要も無くなるため、ユーザの負担を軽減することができる。
【０１９６】
なお、実施の形態２は、実施の形態１において機能情報が記録されている情報記録媒体を磁気ディスク９０から光ディスク１００に変更したものであるため、実施の形態１と同様の効果も合わせて奏する。
【０１９７】
また、本実施の形態では、機能情報が光ディスク１００のＲＯＭ層に記録されている形態（直接保存されている形態）について示したが、機能情報の一部、または、機能情報を取得するための機能取得情報が光ディスク１００のＲＯＭ層に記録されており、残りの機能情報は記憶部１４に予め保存されているか、インターネット等のネットワークを介して取得するもの（間接的に保存されている形態）であっても構わない。すなわち、光ディスク１００を介して間接的に機能情報を再生するものであっても構わない。上記ネットワークを介して取得された機能情報は光ディスク１００のＲＥ層に保存されても良く、記憶部１４に保存されても構わない。
【０１９８】
また、実施の形態１および２の電子機器１は、取り外し可能な情報記録媒体（磁気ディスク９０または光ディスク１００を含む）に対して情報の記録または再生を行うことが可能な記録再生装置に備えられていてもよい。この場合、記録再生装置の再生制御部が、磁気ディスク９０または光ディスク１００から機能情報または機能取得情報を読み出すという再生制御部２２の機能と同様の機能を有し、記録再生装置の記録制御部が、登録情報または機能情報を磁気ディスク９０または光ディスク１００に記録するという記録制御部２３の機能と同様の機能を有するものである。また、記録再生装置の記録制御部は、登録情報を、磁気ディスク９０および光ディスク１００とは異なる他の情報記録媒体に記録してもよい。
【０１９９】
電子機器１が記録再生装置に備えられた場合には、当該記録再生装置は、上記の電子機器１が有する効果と同様の効果を有する。
【０２００】
〔実施の形態３〕
本発明の他の実施形態について図５および図６に基づいて説明すれば、以下のとおりである。なお、実施の形態１および２と同様の部材に関しては、同じ符号を付し、その説明を省略する。
【０２０１】
本実施の形態に係る電子機器２は、実施の形態１および２の電子機器１により取り外し可能な情報記録媒体（磁気ディスク９０もしくは光ディスク１００、または、これらのディスクとは異なる情報記録媒体であり、機能情報が記録されているか否かを問わない）に登録情報が記録されている場合に、当該情報記録媒体から登録情報を読み出す。これにより、電子機器２は、ユーザが電子機器２に対して操作を行うときに、当該操作において使用可能な機能を適切なタイミングで提示するといったユーザ支援を行うことができるものである。なお、電子機器２は、電子機器１で実行される機能のうち、少なくとも１つの機能を実行することができる。また、実施の形態１および２と同様、情報記録媒体に機能情報が記録されている場合、当該磁気ディスク９０および光ディスク１００には機能情報が直接、または、間接的に記録されているといえる。
【０２０２】
〔電子機器２の構成〕
まず、図５に基づき、本実施の形態に係る電子機器２の概略構成について説明する。図５は、電子機器２の概略構成を示す図である。図示のように、電子機器２は、媒体装填確認部３１、媒体制御回路群３２、制御部３３、記憶部３４、表示部３５および操作部３６を備えている。電子機器１は、磁気ディスク９０および光ディスク１００など、取り外し可能な情報記録媒体に登録情報を記録することが可能な構成であったが、電子機器２は、当該情報記録媒体には登録情報をはじめ各種情報を記録しない構成となっている。電子機器２の上記部材は、電子機器１の部材名が同じ部材（図１参照）とそれぞれほぼ同様の機能を有するものである。以下、電子機器２において、電子機器１の部材とは異なる機能を有する部材についてのみ説明し、同様の機能についてはその説明を省略する。
【０２０３】
媒体制御回路群１２は、制御部３３の制御により、上記情報記録媒体への情報の再生を行うものである。上記情報記録媒体から読み出して再生する情報としては登録情報（磁気ディスク９０または光ディスク１００の場合には、機能情報または機能取得情報も含む）が挙げられる。すなわち、媒体制御回路群３２が、上記情報記録媒体に登録情報を記録することはない。
【０２０４】
制御部３３は、主として、初期制御部４１、再生制御部４２（第２再生制御手段）、使用状況確認部４４（第２判定手段）、登録機能実行部４６、表示制御部４７および操作取得部４８を備え、例えば制御プログラムを実行することにより、電子機器２を構成する部材を制御するものである。
【０２０５】
表示部３５は、表示制御部４７に制御されることにより、機能および機能が使用可能な旨を通知するための表示を行うなど、電子機器２の制御に必要な情報を表示するものである。すなわち、表示部３５が「登録ボタン」の表示を行うことはない。なお、上記情報記録媒体が磁気ディスク９０または光ディスク１００の場合には、表示制御部４７に制御されることにより、例えば機能情報の表示、機能情報を再生するか否かを問合せる問合せ画像の表示を行う。
【０２０６】
操作部３６は、ユーザが表示部３５に表示される画像を見ながら入力操作を行うためのものであり、例えば「ＥＮＴＥＲ」キーや矢印キーなどの各種キーが挙げられるが、これらのキーには「登録ボタン」としての機能については割り当てられていない。
【０２０７】
次に、図５を参照しながら、制御部３３の具体的な構成について説明する。
【０２０８】
初期制御部４１は、上記情報記録媒体の挿入後にユーザ登録や認証を行うための処理（ユーザ登録処理）を行うものであり、この処理は、ユーザ登録処理部４１１および認証部４１２によって実現される。また、初期制御部４１は、磁気ディスク９０または光ディスク１００以外の情報記録媒体が挿入された場合には、機能情報選択処理および機能情報取得処理を行ってもよく、この処理は、機能情報種別確認部４１３および機能情報取得制御部４１４によって実現される。
【０２０９】
再生制御部４２は、媒体制御回路群３２を制御することにより、上記情報記録媒体から登録情報を読み出して再生制御するものである。なお、上記情報記録媒体が磁気ディスク９０または光ディスク１００の場合には、再生制御部４２は、機能情報または機能取得情報を読み出すことができる。
【０２１０】
使用状況確認部４４は、登録情報として上記情報記録媒体に記録されている機能情報（もしくは当該機能情報を特定可能な情報）に対応する機能（登録機能）が使用可能な場面（シーン）か否かを確認するものである。換言すれば、上記情報記録媒体に記録された登録情報が示す機能が使用可能な状況にあるか否かを判定するものである。
【０２１１】
表示制御部２７は、表示部３５に各種画像を表示させるために、表示部３５を制御するものであり、機能情報表示制御部４７１および使用通知制御部４７２（第２通知制御手段）を備えている。
【０２１２】
使用通知制御部４７２は、使用状況確認部４４により登録機能が使用可能な場面であると確認された場合に、当該登録機能を表示部３５に表示させるとともに、当該登録機能が使用可能である旨の通知を表示部３５を介して行うものである。換言すれば、使用状況確認部４４により機能が使用可能な状況であると判定された場合に、当該機能が使用可能であることを通知させるものである。
【０２１３】
〔電子機器２における処理の流れ〕
次に、図６に基づき、本実施の形態に係る電子機器２における処理の流れの一例について説明する。図６は、電子機器２における処理の流れの一例を示すフローチャートである。
【０２１４】
まず、登録情報が記録されている情報記録媒体が、電子機器２が備えるスロット（図示せず）に挿入される（Ｓ１０１）。このとき、媒体装填確認部３１は、上記情報記録媒体が装填されたことを示す検出信号を再生制御部４２に送信する。
【０２１５】
再生制御部４２では、上記検出信号を受信すると、登録情報有無判定部４２１が上記情報記録媒体に設けられた登録情報保存領域に記録されている登録情報を読み出す処理を実行することで（Ｓ１０２）、登録情報が登録情報保存領域に記録（格納）されているか否かを判定する（Ｓ１０３）。
【０２１６】
登録情報有無判定部４２１は、上記登録情報保存領域に登録情報が記録されていないと判定した場合（Ｓ１０３でＮＯ）、その旨を表示制御部４７に送信する。表示制御部４７は、登録情報保存領域に登録情報が記録されていない旨の通知を受けると、記憶部３４から所定のアプリケーションを読み出し、当該アプリケーションに基づく画像を表示部３５に表示させる。
【０２１７】
その後、ユーザが電子機器２に対する操作（機器操作）を行うと、操作取得部４８は、操作部３６を介して当該操作を取得し、その旨を再生制御部４２に通知する（Ｓ１１１）。再生制御部４２は、操作取得部４８が取得したユーザ操作に対応するアプリケーション（ユーザ選択動作）を実行し（Ｓ１１２）、当該ユーザ選択動作が終了すると、本フローチャートが終了する。一方、上記Ｓ１０３の処理で、登録情報有無判定部４２１は、上記登録情報保存領域を参照して登録情報が記録されていることを確認することにより、登録情報保存領域に登録情報が記録されていると判定した場合（Ｓ１０３でＹＥＳ）、その旨を表示制御部４７に送信する。その後、Ｓ１１１の処理と同様の処理を行う（Ｓ１０４）と、再生制御部４２は、操作取得部４８が取得したユーザ操作に対応するアプリケーション（ユーザ選択動作）を実行し（Ｓ１０５）、その旨を使用状況確認部４４に送信する。その後のＳ１０６〜Ｓ１１０の処理については、図２に示すＳ８〜Ｓ１５の処理と同様に行われるので、ここではその説明を省略する。
【０２１８】
以上のように、電子機器２では、再生制御部４２（第２再生制御ステップ）により磁気ディスク９０または光ディスク１００に記録された登録情報が読み出され、使用通知制御部４７２（第２通知制御ステップ）は、使用状況確認部４４（第２判定ステップ）が、この登録情報が示す機能が使用可能な状況であると判定した場合に、当該機能が使用可能であることを通知する。これにより、登録情報を磁気ディスク９０または光ディスク１００に記録しない電子機器２において、機能情報に示される機能の利用場面に即してその機能が使用可能ならば、その旨をユーザに通知することができる。
【０２１９】
また、この場合、登録情報は、磁気ディスク９０または光ディスク１００に記録されている。このため、ユーザは、少なくとも磁気ディスク９０または光ディスク１００を管理しておくだけで、電子機器２にて登録情報に基づく上記の通知を受けることができる。さらに、電子機器２は、機能情報または機能取得情報を読み出す場合には、ユーザに対して機能説明を行うことができる。
【０２２０】
一方、磁気ディスク９０または光ディスク１００とは異なる他の情報記録媒である第２情報記録媒体に登録情報が記録されていてもよい。この場合、再生制御部４２（第２再生制御ステップ）により第２情報記録媒体に記録された登録情報が読み出され、使用通知制御部４７２（第２通知制御ステップ）は、使用状況確認部４４（第２判定ステップ）が、この登録情報が示す機能が使用可能な状況であると判定した場合に、当該機能が使用可能であることを通知する。この場合も、電子機器２において、機能情報に示される機能の利用場面に即してその機能が使用可能ならば、その旨をユーザに通知することができる。
【０２２１】
また、この場合、登録情報は、磁気ディスク９０または光ディスク１００とは異なる第２情報記録媒体に記録されている。このため、電子機器２は、磁気ディスク９０または光ディスク１００が紛失したり故障した場合であっても、第２情報記録媒体を参照することにより、機能の利用場面に即して当該機能が使用可能であることをユーザに通知することができる。
【０２２２】
また、本実施の形態の電子機器２は、取り外し可能な情報記録媒体（磁気ディスクまたは光ディスク１００を含む）に対して情報の再生を行うことが可能な再生装置に備えられていてもよい。この場合、再生装置の再生制御部は、上記情報記録媒体から登録情報を読み出し、磁気ディスク９０または光ディスク１００の場合には、機能情報または機能取得情報を読み出すという再生制御部４２と同様の機能を有する。
【０２２３】
電子機器２が再生装置に備えられた場合には、当該再生装置は、上記の電子機器２が有する効果と同様の効果を有する。
【０２２４】
なお、上記情報記録媒体が磁気ディスク９０または光ディスク１００の場合には、再生制御部４２が機能情報または機能取得情報を読み出してもよい。この場合には、実施の形態１および２と同様、電子機器２では、機能情報の提供（図２のＳ４の処理）が行われたり、上記の〔初期制御処理について〕における機能情報取得処理が行われてもよい。
【０２２５】
また、上述の電子機器２は、挿入された上記情報記録媒体から登録情報を読み出してユーザ支援する構成に特化して説明したが、これに限らず、磁気ディスク９０または光ディスク１００に登録情報が記録されていない場合には、図２のＳ４〜Ｓ７の処理と同様の処理を行う構成であってもよい。この場合、表示制御部４７が「登録ボタン」を表示、または、操作部３６のキーに「登録ボタン」の機能が割り当てられており、また、記憶部３４に登録情報を記録する登録情報記録部を備えていてもよい。
【０２２６】
〔実施の形態４〕
本発明の他の実施形態について図７および図８に基づいて説明すれば、以下のとおりである。なお、実施の形態１または２と同様の部材に関しては、同じ符号を付し、その説明を省略する。
【０２２７】
本実施の形態に係る記録再生装置１０は、図７に示すように、媒体装填確認部１１、媒体制御回路群１２、制御部１３、表示部１５および操作部１６を備えている。制御部１３の記録制御部２３に取得情報記録部２３２（取得情報記録手段）を備える点で、実施形態１および２に係る電子機器１とは異なる。図７は、本実施の形態に係る記録再生装置１０の概略構成を示す図である。
【０２２８】
記録再生装置１０は、機能情報もしくは機能取得情報を記録している情報記録媒体（第１情報記録媒体）、または当該情報記録媒体とは異なる他の情報記録媒体（第３情報記録媒体）に対して情報の記録または再生を行うことが可能な記録再生装置である。また、記録再生装置１０は、記録再生装置１０とは異なる他の機器（外部の機器、例えばテレビ）や外部のネットワークなどから取得した取得した取得したコンテンツ（録画したコンテンツ（記録情報））などである取得情報を、情報記録媒体に記録することが可能である。記録再生装置１０の取得情報記録部２３２は、媒体制御回路群１２を制御することにより、取得情報を第１または第３情報記録媒体に記録するものである。さらに、記録再生装置１０は、上記取得情報の編集、消去なども行うことも可能である。
【０２２９】
また、本実施の形態に係る記録再生装置１０の再生制御部２２は、ユーザが機器操作を行った場合に、当該機器操作がどのような機器操作であるかを解析し、当該機器操作が第１または第３情報記録媒体の取得情報保存領域に関する動作であるか否かを判定するものである。
【０２３０】
さらに、機能情報を記録している第１情報記録媒体としては、磁気ディスク、ＳＤカード、メモリースティック、ＵＳＢメモリ、光ディスク１００（ＲＯＭ／ＲＥが積層された光ディスク）以外の光ディスクなどを想定している。本実施の形態では、実施の形態１と同様、磁気ディスク９０に機能情報または機能取得情報が記録されている場合について説明する。すなわち、磁気ディスク９０には、機能情報が直接、または、間接的に記録されているといえる。
【０２３１】
本実施の形態に係る第１または第３情報記録媒体は、外部から取得した取得情報を記録することが可能な情報記録媒体である。例えば、これらの情報記録媒体は、取得情報を記録可能な取得情報保存領域を少なくとも備えている。また、記録再生装置１０は、上記情報記録媒体に保存された取得情報に対する制御が行われる場合には、使用状況確認部２４が、登録情報記録部２３１により記録された登録情報が示す機能が使用可能な状況にあるか否かを判定し、使用通知制御部２７２が、使用状況確認部２４により当該機能が使用可能な状況であると判定された場合に、当該機能が使用可能であることを通知させるものである。
【０２３２】
つまり、第１情報記録媒体には、機能情報のほか、少なくとも取得情報が記録され、第３情報記録媒体には、機能情報が記録されていないので、少なくとも取得情報が記録される。第３情報記録媒体は、光ディスク、磁気ディスク、ＳＤカード、メモリースティック（登録商標）、ＵＳＢメモリなどの記録再生装置または再生装置に挿入可能な（換言すれば取り外し可能な）情報記録媒体であっても、記録再生装置または再生装置が備える記憶部として用いられる例えばＨＤＤ、半導体メモリ等の記憶装置、すなわち取り外しできない形態であってもよい。ここでは、第３情報記録媒体は、取り外し可能である場合を除き、記憶部１４であるものとして説明する。
【０２３３】
〔記録再生装置１０における処理の流れ〕
次に、図８に基づき、本実施の形態に係る記録再生装置１０における処理の流れの一例について説明する。図８は、記録再生装置１０における処理の流れの一例を示すフローチャートである。なお、ここでは、挿入される磁気ディスク９０に機能情報が記録されている場合について説明し、機能取得情報が記録されている場合については、上記の〔初期制御処理について〕にて説明したので、ここではその説明を省略する。
【０２３４】
まず、機能情報が記録されている磁気ディスク９０が、記録再生装置１０が備えるスロット（図示せず）に挿入されると、図２に示すＳ１〜Ｓ３の処理と同様の処理が行われる（Ｓ４１〜Ｓ４３）。また、Ｓ４３の処理において、登録情報有無判定部２２１が、記憶部１４（磁気ディスク９０または磁気ディスク９０とは異なる他の取り外し可能な情報記録媒体でもよい）の登録情報保存領域に登録情報が記録されていないと判定した場合（Ｓ４３でＮＯ、磁気ディスクの初回使用時）には、図２に示すＳ４〜Ｓ７と同様の処理が行われる（Ｓ４４〜Ｓ４７）。
【０２３５】
一方、Ｓ４３の処理で、登録情報有無判定部２２１は、記憶部１４の登録情報保存領域を参照して登録情報が記録されていることを確認することにより、登録情報保存領域に登録情報が記録されていると判定した場合（Ｓ４３でＹＥＳ、初回登録完了後（２回目以降の使用時））、その旨を表示制御部２７に送信する。その後、Ｓ８の処理と同様の処理が行われる（Ｓ４８）。
【０２３６】
再生制御部２２は、ユーザが機器操作を行った旨の通知を受けると、操作取得部２８が取得した機器操作がどのような機器操作であるかを解析し、当該機器操作が磁気ディスク９０または記憶部１４の取得情報保存領域に関する動作であるか否かを判定する（Ｓ４９）。再生制御部２２は、磁気ディスク９０または記憶部１４の取得情報保存領域に関する動作でないと判定した場合（Ｓ４９でＮＯ）、各機能の説明を行うか（機器説明を再生させるか）否かを判定するために、表示制御部２７に問合せ画像の表示を指示する（Ｓ５０）。表示制御部２７の機能情報表示制御部２７１は、再生制御部２２から指示を受けると、機能の説明を行うか否かを示す問合せ画像を表示部１５に表示させる。なお、磁気ディスク９０または記憶部１４の取得情報保存領域に関する動作とは、取得情報保存領域に保存された取得情報に対する制御（取得情報の再生、編集、削除など）を行うための機器操作を指す。
【０２３７】
そして、Ｓ５０では図２に示すＳ９と同様の処理が行われる。すなわち、再生制御部２２が、ユーザ操作が機能の説明を行う旨の操作である旨の通知を受けると、機能の説明を行うものと判定し（Ｓ５０でＹＥＳ）、Ｓ４４の処理に移行する。一方、再生制御部２２は、ユーザ操作が機能の説明を行わない旨の操作である旨の通知を受けると、機能の説明を行わないものと判定し（Ｓ５０でＮＯ）、Ｓ４８の処理で操作取得部２８が取得したユーザ操作に対応するアプリケーション（ユーザ選択動作）を実行する（Ｓ５１）。すなわち、Ｓ５０では、記録再生装置１０は、メニュー画面を表示することにより、機能説明を確認するか、ユーザ選択動作を実行させるかを、ユーザに選択させるようにしてもよい。
【０２３８】
なお、ここでのユーザ選択動作とは、例えば取得情報記録部２３２による磁気ディスク９０または記憶部１４への取得情報の記録が挙げられる。この場合、記録再生装置１０では、操作取得部２８が、操作部１６を介して、外部から取得情報を取得する旨の操作取得部２８を取得すると、制御部１３にその旨を通知する。制御部１３は、この通知を受けると、外部から取得情報（テレビ放送されたコンテンツなど）を取得し、取得情報記録部２３２が、磁気ディスク９０または記憶部１４の取得情報保存領域に保存する。すなわち、録画したコンテンツを磁気ディスク９０または記憶部１４の取得情報保存領域に保存する。
【０２３９】
一方、再生制御部２２は、磁気ディスク９０または記憶部１４の取得情報保存領域に関する動作であると判定した場合（Ｓ４９でＹＥＳ）、Ｓ４８の処理で操作取得部２８が取得したユーザ操作（取得情報保存領域に関する動作）に対応するアプリケーションを実行し（Ｓ５２）、その旨を使用状況確認部２４に送信する。
【０２４０】
使用状況確認部２４は、取得情報保存領域に関する動作が実行された旨の通知を受けると、登録情報として登録情報保存領域に記録された機能情報（もしくは当該機能情報を特定可能な情報）に対応する機能（登録機能）が使用可能な場面（シーン）か否かを確認する（Ｓ５３）。なお、Ｓ５３〜Ｓ５７の処理については、図２に示すＳ１１〜Ｓ１５の処理と同様であるので、ここではその説明を省略する。
【０２４１】
なお、Ｓ５４の処理において、機能情報表示制御部２７１は、表示部１５に表示させる登録機能の機能説明を確認するか、機能説明を確認せずに取得情報に対する制御を行うかをユーザに選択させるための問合せ画像を、表示部１５に表示させてもよい。
【０２４２】
以上のように、記録再生装置１０（その制御方法）では、取得情報記録部２３２（取得情報記録ステップ）により例えば記憶部１４に記録された取得情報に対する制御が行われる場合に、使用通知制御部２７２（通知制御ステップ）は、使用状況確認部２４（判定ステップ）が、この登録情報が示す機能が使用可能な状況であると判定した場合に、当該機能が使用可能であることを通知する。また、上記の処理の前提として、記録再生装置１０では、登録情報記録部２３１（登録情報記録ステップ）は、再生制御部２２（再生制御ステップ）により磁気ディスク９０から読み出された機能情報、または、機能取得情報に対応する機能情報のうち、ユーザが指定した機能情報、または、ユーザが指定した機能情報を特定可能な情報を登録情報として記録する。これにより、記憶部１４に保存された取得情報に対する制御が行われる場合に、機能の利用場面に即してその機能が使用可能ならば、その旨をユーザに通知することができる。
【０２４３】
つまり、ユーザが上記の通知を必要とする場合には、取得情報を記憶部１４に保存し、逆に、上記の通知を必要としない場合には記憶部１４とは異なる情報記録媒体に保存することで、当該通知の有無を選択できる。すなわち、上記の通知を行うか否かの選択を、記録再生装置１０を使用する度にユーザが選択せずとも、取得情報を保存する場所を変えるだけで行うことができる。このように、記憶部１４に取得情報が記録されたときのみ上記の通知が行われることで、例えば、当該通知を行うか否かの設定を、記録再生装置１０を操作して変更することが困難と感じるユーザにおいても、保存先の違いで当該通知の有無を選択できる。このため、記録再生装置１０に対する操作を簡略化することができ、ユーザの負担を軽減できるとともに記録再生装置１０の機能を有効に活用できる効果を奏する。
【０２４４】
また、登録情報と取得情報とが一体に記憶部１４に記録される構成であれば、例えば磁気ディスク９０が紛失したり故障した場合や、ユーザが機能情報を用いた機能の説明を必要としない場合に、記憶部１４を参照することにより、取得情報に対する制御が行われるときに、機能の利用場面に即して当該機能が使用可能であることをユーザに通知することができる。
【０２４５】
また、取得情報が記憶部１４に保存されるのではなく、記憶部１４および磁気ディスク９０とは異なる取り外し可能な情報記録媒体に記録されるのであれば（第３情報記録媒体が取り外し可能な構成の場合）、記録再生装置１０とは異なる他の機器にて第３情報記録媒体を利用することができる。特に、登録情報と取得情報とが一体に第３情報記録媒体に記録されている場合には、上記他の機器において、取得情報に対する制御が行われるときに登録情報に基づく上記の通知を行うことができる。このため、他の機器が登録情報の記録を行うことができない機器であっても、第３情報記録媒体を挿入するだけで、当該機器に登録情報を利用させることができる。
【０２４６】
また、第３情報記録媒体に取得情報が記録されるのではなく、機能情報または機能取得情報が記録されている第１情報記録媒体に、取得情報が記録されてもよい。この場合も、第３情報記録媒体に取得情報が記録されている場合と同様、第１情報記録媒体に保存された取得情報に対する制御が行われる場合に、機能の利用場面に即してその機能が使用可能ならば、その旨をユーザに通知することができる。その他、機能情報（または機能取得情報）と取得情報とが一体に第１情報記録媒体に記録されるので、他の機器に第１情報記録媒体が挿入された場合に、当該他の機器にて機能の説明を行うだけでなく、取得情報を利用することもできる。また、これらの情報を第１情報記録媒体にて一元管理することができ、取得情報を紛失する虞が無くなるという効果も奏する。
【０２４７】
また、機能情報（または機能取得情報）および取得情報が記録された第１情報記録媒体に登録情報が記録される構成の場合、他の機器に第１情報記録媒体が挿入された場合に、当該他の機器において、取得情報に対する制御が行われるときに第１情報記録媒体に記録された登録情報を用いることができる。このため、他の機器が登録情報の記録を行うことができない機器であっても、第１情報記録媒体を挿入するだけで、当該機器に登録情報を利用させることができる。一方、登録情報の記録を行うことが可能な機器であっても、再度登録情報の記録を行わせる必要がないので、ユーザの負担を軽減することができる。また、機能情報（または機能取得情報）、登録情報および取得情報が一体に第１情報記録媒体に保存されるので、これらの情報を第１情報記録媒体にて一元管理することができ、登録情報および取得情報を紛失する虞が無くなるという効果も奏する。
【０２４８】
また、記録再生装置１０は、機能情報表示制御部２７１を備えているので、機能情報、または、機能取得情報に対応する機能情報をユーザに提示することができる。このため、ユーザは、提示された機能情報を確認することにより、登録したい機能を指定することができる。
【０２４９】
〔実施の形態５〕
本発明の他の実施形態について図３、図７および図９に基づいて説明すれば、以下のとおりである。なお、実施の形態１、２および４と同様の部材に関しては、同じ符号を付し、その説明を省略する。
【０２５０】
本実施の形態に係る記録再生装置１０は、実施の形態４と同様、図７に示す記録再生装置１０である。また、取得情報記録部２３２は、媒体制御回路群１２を制御することにより、取得情報を光ディスク１００に記録するものである。
【０２５１】
また、機能情報または機能取得情報を記録している情報記録媒体としては、実施の形態２と同様、図２に示す光ディスク１００を含むＤＶＤやＢＤなどの光情報記録媒体を想定している。本実施の形態では、実施の形態２と同様、例えば２層ＢＤ（ＲＯＭ／ＲＥ積層ディスク（コンビＢＤ））としての光ディスク１００に機能情報または機能取得情報が記録されている場合について説明する。すなわち、この光ディスク１００には、機能情報が直接、または、間接的に記録されているといえる。
【０２５２】
〔記録再生装置１０における処理の流れ〕
次に、図９に基づき、本実施の形態に係る記録再生装置１０における処理の流れの一例について説明する。図９は、記録再生装置１０における処理の流れの一例を示すフローチャートである。なお、以下の説明において、実施の形態４で用いられた磁気ディスク９０を光ディスク１００に置き換えれば実施の形態４と同様の処理が行われるステップについては、その説明を省略する場合がある。また、実施の形態４と同様、ここでは、挿入される光ディスク１００に機能情報が記録されている場合について説明するものとする。一方、機能取得情報が記録されている場合については、機能取得情報が光ディスク１００のＲＯＭ層に記録されているとすれば、上記の〔初期制御処理について〕での説明を引用できるので、その説明を省略する。
【０２５３】
まず、機能情報が記録されている光ディスク１００が、記録再生装置１０が備えるスロット（図示せず）に挿入されると、図４に示すＳ２１〜Ｓ２３の処理と同様の処理が行われる（Ｓ６１〜Ｓ６３）。
【０２５４】
また、Ｓ６３の処理において、登録情報有無判定部２２１が、ＲＥ層の登録情報保存領域に登録情報が記録されていないと判定した場合（Ｓ６３でＮＯ、光ディスク１００の初回使用時）、図４に示すＳ２４〜Ｓ２７の処理と同様の処理が行われる（Ｓ６４〜Ｓ６７）。なお、Ｓ６６の処理において、登録情報記録部２３１がＲＥ層に設けられた登録情報保存領域に記録する登録情報は、登録情報としての機能情報（もしくは当該機能情報を特定可能な情報）が記録されているＲＯＭ層のアドレス情報であってもよい。
【０２５５】
一方、Ｓ６３の処理で、登録情報有無判定部２２１は、光ディスク１００の登録情報保存領域を参照して登録情報が記録されていることを確認することにより、登録情報保存領域に登録情報が記録されていると判定した場合（Ｓ６３でＹＥＳ、初回登録完了後（２回目以降の使用時））、その旨を表示制御部２７に送信する。その後、Ｓ４８の処理と同様の処理が行われる（Ｓ６８）。
【０２５６】
再生制御部２２は、ユーザが機器操作を行った旨の通知を受けると、操作取得部２８が取得した機器操作がどのような機器操作であるかを解析し、当該機器操作が光ディスク１００の取得情報保存領域、すなわちＲＥ層に関する動作であるか否かを判定する（Ｓ６９）。再生制御部２２は、光ディスク１００のＲＥ層に関する動作でないと判定した場合（Ｓ６９でＮＯ）、各機能の説明を行うか（機器説明を再生させるか）否かを判定するために、表示制御部２７に問合せ画像の表示を指示する（Ｓ７０）。表示制御部２７の機能情報表示制御部２７１は、再生制御部２２から指示を受けると、機能の説明を行うか否かを示す問合せ画像を表示部１５に表示させる。そして、Ｓ７０およびＳ７１では図６に示すＳ５０およびＳ５１と同様の処理が行われる。なお、ここでのユーザ選択動作とは、例えば取得情報記録部２３２による光ディスク１００のＲＥ層への記録が挙げられる。
【０２５７】
一方、再生制御部２２は、光ディスク１００のＲＥ層に関する動作であると判定した場合（Ｓ６９でＹＥＳ）、Ｓ６８の処理で操作取得部２８が取得したユーザ操作（ＲＥ層に関する動作）に対応するアプリケーションを実行し（Ｓ７２）、その旨を使用状況確認部２４に送信する。
【０２５８】
使用状況確認部２４は、ＲＥ層に関する動作が実行された旨の通知を受けると、登録情報として登録情報保存領域に記録された機能情報（もしくは当該機能情報を特定可能な情報）に対応する機能（登録機能）が使用可能な場面（シーン）か否かを確認する（Ｓ７３）。なお、Ｓ７３〜Ｓ７７の処理については、図６に示すＳ５３〜Ｓ５７の処理と同様であるので、ここではその説明を省略する。
【０２５９】
なお、Ｓ７３の処理において、登録情報がＲＯＭ層のアドレス情報である場合には、使用状況確認部２４は、登録機能が使用可能な場面か否かを確認するときに、当該登録機能がどのような機能であるかを認識するために、ＲＯＭ層から機能情報を読み出すように再生制御部２２に指示する。再生制御部２２は、この指示を受けると、アドレス情報に示された領域に記録されている機能情報を読み出し、使用状況確認部２４に送信する。使用状況確認部２４は、光ディスク１００または記憶部１４に保存されている場面情報を参照することにより、読み出された機能情報に対応する機能が使用可能な場面であるか否かを確認する。
【０２６０】
以上のように、記録再生装置１０は、書き換えを必要としない機能情報がＲＯＭ層に記録され、追記または書き換えを必要とする登録情報および取得情報がＲＥ層に記録された光ディスク１００を用いるので、光ディスク１００の利用の際に、機能情報が誤って消去されてしまうことを防ぐことができる。
【０２６１】
なお、実施の形態５は、実施の形態４において機能情報が記録されている情報記録媒体を磁気ディスク９０から光ディスク１００に変更したものであるため、実施の形態４と同様の効果も合わせて奏する。
【０２６２】
例えば、上記では、登録情報および取得情報が光ディスク１００に記録されるものとして説明したが、これに限定されず、光ディスク１００とは異なる他の光ディスク（例えば２層ＢＤ）のＲＥ層に登録情報および取得情報が記録されてもよい。
【０２６３】
〔実施の形態６〕
本発明の他の実施形態について図５および図１０に基づいて説明すれば、以下のとおりである。なお、実施の形態３と同様の部材に関しては、同じ符号を付し、その説明を省略する。
【０２６４】
本実施の形態に係る再生装置２０は、実施の形態３の電子機器２と同様の構成であり、実施の形態４および５の記録再生装置１０により取り外し可能な情報記録媒体（磁気ディスク９０もしくは光ディスク１００、または、これらのディスクとは異なる情報記録媒体であり、機能情報が記録されているか否かを問わない）に登録情報および取得情報が記録されている場合に、当該情報記録媒体から登録情報および取得情報を読み出す。これにより、再生装置２０は、ユーザが再生装置２０に対して操作を行うときに、当該操作において使用可能な機能を適切なタイミングで提示するといったユーザ支援を行うことができるものである。なお、再生装置２０は、記録再生装置１０で実行される機能のうち、少なくとも１つの機能を実行することができる。また、実施の形態３と同様、情報記録媒体に機能情報が記録されている場合、当該磁気ディスク９０および光ディスク１００には機能情報が直接、または、間接的に記録されているといえる。
【０２６５】
また、記録再生装置１０は、上記の取り外し可能な情報記録媒体に登録情報および取得情報を記録することが可能な構成であったが、再生装置２０は、当該情報記録媒体には登録情報および取得情報をはじめ各種情報を記録しない構成となっている。なお、再生装置２０は、再生制御部４２が、上記情報記録媒体から登録情報の他に取得情報も読み出すこと以外については、電子機器２と同様の構成であるので、ここではその説明を省略する。
【０２６６】
〔再生装置２０における処理の流れ〕
次に、図１０に基づき、本実施の形態に係る再生装置２０における処理の流れの一例について説明する。図１０は、再生装置２０における処理の流れの一例を示すフローチャートである。
【０２６７】
まず、登録情報および取得情報が記録されている情報記録媒体が、再生装置２０が備えるスロット（図示せず）に挿入される（Ｓ１２１）。その後のＳ１２２〜１２４、Ｓ１３３およびＳ１３４の処理は、図６に示すＳ１０２〜Ｓ１０４、Ｓ１１１およびＳ１１２の処理と同様であるので、ここではその説明を省略する。
【０２６８】
再生制御部４２は、Ｓ１２４の処理においてユーザが機器操作を行った旨の通知を受けると、操作取得部４８が取得した機器操作がどのような機器操作であるかを解析し、当該機器操作が上記情報記録媒体に設けられた取得情報保存領域に関する動作であるか否かを判定する（Ｓ１２５）。再生制御部４２は、上記取得情報保存領域に関する動作でないと判定した場合（Ｓ１２５でＮＯ）、Ｓ１２４の処理で操作取得部４８が取得したユーザ操作に対応するアプリケーション（ユーザ選択動作）を実行する（Ｓ１２６）。
【０２６９】
一方、再生制御部４２は、上記取得情報保存領域に関する動作であると判定した場合（Ｓ１２５でＹＥＳ）、Ｓ１２４の処理で操作取得部４８が取得したユーザ操作（取得情報保存領域に関する動作）に対応するアプリケーションを実行し（Ｓ１２７）、その旨を使用状況確認部２４に送信する。その後のＳ１２８〜Ｓ１３２の処理については図８に示すＳ５３〜Ｓ５７の処理と同様であるので、ここではその説明を省略する。
【０２７０】
以上のように、再生制御部４２により、機能情報が記録されていない第３情報記録媒体に記録された登録情報が読み出され、第３情報記録媒体に記録された取得情報に対する制御が行われる場合に、使用通知制御部４７２は、使用状況確認部４４が、この登録情報が示す機能が使用可能な状況であると判定した場合に、当該機能が使用可能であることを通知する。これにより、再生装置２０において、第３情報記録媒体に保存された取得情報に対する制御が行われる場合に、機能の利用場面に即してその機能が使用可能ならば、その旨をユーザに通知することができる。また、登録情報および取得情報が第３情報記録媒体に記録されているので、再生装置２０は、磁気ディスク９０または光ディスク１００が紛失したり故障した場合であっても、第３情報記録媒体を参照することにより、取得情報に対する制御が行われるときに、機能の利用場面に即して当該機能が使用可能であることをユーザに通知することができる。
【０２７１】
一方、第３情報記録媒体ではなく、磁気ディスク９０および光ディスク１００に取得情報が記録されていてもよい。この場合も、再生装置２０において、磁気ディスク９０および光ディスク１００に保存された取得情報に対する制御が行われる場合に、機能の利用場面に即してその機能が使用可能ならば、その旨をユーザに通知することができる。
【０２７２】
また、この場合、登録情報および取得情報が磁気ディスク９０および光ディスク１００に記録されているので、ユーザは、少なくとも第１情報記録媒体を管理しておくだけで、再生装置２０にて、取得情報に対する制御が行われる場合に登録情報に基づく上記の通知を受けることができる。
【０２７３】
さらに、機能情報（または機能取得情報）と登録情報と取得情報とが一体に磁気ディスク９０および光ディスク１００に記録される構成の場合には、他の機器に磁気ディスク９０および光ディスク１００が挿入された場合に、当該他の機器にて機能の説明を行うだけでなく、登録情報および取得情報を利用することもできる。また、これらの情報を第１情報記録媒体にて一元管理することができ、取得情報を紛失する虞が無くなるという効果も奏する。
【０２７４】
〔本発明の別表現〕
なお、本発明は、以下のようにも表現できる。
【０２７５】
すなわち、本発明に係るユーザ支援システムは、機器の機能情報が直接または間接的に保存された情報記録媒体を再生するための再生手段と、上記再生手段によって読み出された上記機能情報をユーザに提供する提供手段と、上記ユーザに提供された機能情報に基づいてユーザが行う操作を、登録情報として記録する登録情報記録手段と、上記機能が使用可能な状況で、上記登録情報に基づいて、ユーザに対して上記機能が使用可能であることを通知する通知手段を備える構成である。
【０２７６】
また、本発明に係るユーザ支援システムでは、上記情報記録媒体が、上記ユーザ支援装置から取り外し可能な情報記録媒体であることが好ましい。
【０２７７】
また、本発明に係るユーザ支援システムでは、一つの情報記録媒体に上記機能情報が直接または間接的に保存され、上記登録情報がこれと合わせて保存されることが好ましい。
【０２７８】
また、本発明に係るユーザ支援システムでは、上記情報記録媒体が、再生専用領域と、記録可能領域とを備え、上記機能情報が再生専用領域に、上記登録情報が記録可能領域に、それぞれ保存されることが好ましい。
【０２７９】
また、本発明に係るユーザ支援システムでは、上記機能情報と上記登録情報とが、それぞれ異なる情報記録媒体に保存されることが好ましい。
【０２８０】
また、本発明に係るユーザ支援システムでは、上記登録情報は、ユーザ識別情報と関連付けて記録されることが好ましい。
【０２８１】
また、本発明に係るユーザ支援システムでは、上記情報記録媒体に記録される機能情報は、複数の機器の機能情報であることが好ましい。
【０２８２】
また、本発明に係る記録再生装置は、上記に記載の電子機器に用いられる記録再生装置であって、上記機能情報が記録された情報記録媒体から、当該機能情報を読み出して再生制御する再生制御手段と、上記再生制御手段が上記情報記録媒体から読み出した機能情報のうち、ユーザが指定した機能情報を登録情報として記録する登録情報記録手段とを備えることが好ましい。
【０２８３】
また、本発明に係る再生装置は、上記に記載の電子機器に用いられる再生装置であって、上記登録情報記録手段により記録された登録情報が示す機能が使用可能な状況にあるか否かを判定する判定手段と、上記判定手段により上記機能が使用可能な状況であると判定された場合に、当該機能が使用可能であることを通知させる通知制御手段と、を備えることが好ましい。
【０２８４】
また、本発明に係る記録再生装置は、上記に記載のユーザ支援装置に用いられる記録再生装置であって、上記登録情報を、上記機能情報が直接または間接的に保存された情報記録媒体と同一または別個の情報記録媒体に記録する記録手段と、上記機能情報、及び、上記登録情報を読み出す再生手段と、を備えていることが好ましい。
【０２８５】
また、本発明に係る再生装置は、上記に記載のユーザ支援装置に用いられる再生装置であって、上記情報記録媒体に直接または間接的に保存された上記機能情報、及び、上記登録情報を読み出す再生手段を備えていることが好ましい。
【０２８６】
また、本発明に係る情報記録媒体は、上記記載のユーザ支援システムに用いられる情報記録媒体であって、上記機能情報が直接または間接的に保存され、上記登録情報と合わせて保存されることが好ましい。
【０２８７】
また、本発明に係る情報記録媒体は、上記情報記録媒体が、再生専用領域と、記録可能領域とを備え、上記機能情報が再生専用領域に、上記登録情報が記録可能領域に、それぞれ保存されることが好ましい。
【０２８８】
また、本発明に係るユーザ支援方法は、機器の機能情報が直接または間接的に保存された情報記録媒体をユーザ支援システムに挿入するステップと、上記情報記録媒体から機能情報を読み出すステップと、上記機能情報をユーザに提供するステップと、上記ユーザに提供された機能情報に基づいてユーザが行う操作を、登録情報として記録するステップと、上記機能が使用可能な状況で、上記登録情報に基づいて、ユーザに対して上記機能が使用可能であることを通知するステップと、を含む方法である。
【０２８９】
また、本発明に係るユーザ支援システムは、上記に記載のユーザ支援システムであって、ユーザが機器外部からの情報を取得して保存するための１つまたは複数の情報記録媒体を有し、少なくとも第１の取得情報保存領域、及び、第２の取得情報保存領域が、上記機器外部からの情報を取得して保存するための情報記録媒体内に設けられ、上記第１の取得情報保存領域に保存された取得情報については、上記取得情報の再生、編集、および／または、削除に際して、上記機能が使用可能な状況において、上記登録情報に基づいて、ユーザに対して上記機能が使用可能であることを、上記の通知手段を用いて通知し、上記第２の取得情報保存領域に保存された取得情報については、上記取得情報の再生、編集、および／または、削除に際して、上記機能が使用可能であることを通知しないことが好ましい。
【０２９０】
また、本発明に係るユーザ支援システムは、上記登録情報を保存する領域と、上記第１の取得情報保存領域とが、一つの情報記録媒体に設けられていることが好ましい。
【０２９１】
また、本発明に係るユーザ支援システムは、上記機能情報を保存する領域、上記登録情報を保存する領域、及び、上記第１の取得情報保存領域が、一つの情報記録媒体に設けられていることが好ましい。
【０２９２】
また、本発明に係るユーザ支援システムは、上記情報記録媒体が、取り外し可能であることが好ましい。
【０２９３】
また、本発明に係る記録再生装置は、上記に記載のユーザ支援システムに用いられる記録再生装置であって、上記登録情報、及び、上記取得情報を、上記機能情報が直接または間接的に保存された情報記録媒体と同一または別個の情報記録媒体に記録する記録手段と、上記機能情報、上記登録情報、及び、上記取得情報を読み出す再生手段と、を備えていることが好ましい。
【０２９４】
また、本発明に係る再生装置は、上記に記載のユーザ支援装置に用いられる再生装置であって、上記情報記録媒体に直接または間接的に保存された上記機能情報、上記登録情報、及び、上記取得情報を読み出す再生手段を備えていることが好ましい。
【０２９５】
また、本発明に係る再生装置は、上記に記載の記録再生装置を用いて、登録情報及び取得情報が保存された情報記録媒体を再生する再生装置であって、上記取得情報保存領域に保存された取得情報に対する制御が行われる場合には、上記判定手段は、上記登録情報が示す機能が使用可能な状況にあるか否かを判定し、上記の通知制御手段は、上記判定手段により上記機能が使用可能な状況であると判定された場合に、当該機能が使用可能であることを通知させることが好ましい。
【０２９６】
また、本発明に係る情報記録媒体は、上記に記載のユーザ支援装置に用いられる情報記録媒体であって、上記機能情報が直接または間接的に保存され、上記登録情報、及び、上記取得情報がこれと合わせて保存されることが好ましい。
【０２９７】
また、本発明に係るユーザ支援方法は、上記情報記録媒体が、再生専用領域と、記録可能領域とを備え、上記機能情報が再生専用領域に、上記登録情報及び上記取得情報が記録可能領域に、それぞれ保存されることが好ましい。
【０２９８】
また、本発明に係る情報記録媒体は、機器の機能情報が直接または間接的に保存された情報記録媒体をユーザ支援システムに挿入するステップと、上記情報記録媒体から機能情報を読み出すステップと、上記機能情報をユーザに提供するステップと、上記ユーザに提供された機能情報に基づいてユーザが行う操作を、登録情報として記録するステップと、上記機能情報に基づいてユーザが行った操作によって取得した取得情報を、情報記録媒体に記録するステップと、上記取得情報をユーザが取り出す際に、上記登録情報に対応した機能をユーザに通知するステップと、を含む方法である。
【０２９９】
〔補足〕
最後に、電子機器１および記録再生装置１０の各ブロック、特に制御部１３の初期制御部２１（ユーザ登録処理部２１１、認証部２１２、機能情報種別確認部２１３および機能情報取得制御部２１４）、再生制御部２２（登録情報有無判定部２２１）、記録制御部２３（登録情報記録部２３１および取得情報記録部２３２）、使用状況確認部２４、登録機能実行部２６、表示制御部２７（機能情報表示制御部２７１および使用通知制御部２７２）、操作取得部２８、および、通信制御部２９は、ハードウェアロジックによって構成してもよいし、次のようにＣＰＵを用いてソフトウェアによって実現してもよい。同様に、電子機器２および再生装置２０の各ブロック、特に制御部３３の初期制御部４１（ユーザ登録処理部４１１、認証部４１２および機能情報種別確認部４１３）、再生制御部４２（登録情報有無判定部４２１）、使用状況確認部４４、登録機能実行部４６、表示制御部４７（機能情報表示制御部４７１および使用通知制御部４７２）、および、操作取得部４８は、ハードウェアロジックによって構成してもよいし、次のようにＣＰＵを用いてソフトウェアによって実現してもよい。
【０３００】
すなわち、電子機器１、２、記録再生装置１０および再生装置２０は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである電子機器１、２、記録再生装置１０および再生装置２０の制御プログラムのプログラムコード（実行形式プログラム、中間コードプログラム、ソースプログラム）をコンピュータで読み取り可能に記録した記録媒体を、前記電子機器１、２、記録再生装置１０および再生装置２０に供給し、そのコンピュータ（又はＣＰＵやＭＰＵ）が記録媒体に記録されているプログラムコードを読み出し実行することによっても、達成可能である。
【０３０１】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３０２】
また、電子機器１、２、記録再生装置１０および再生装置２０を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０３０３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０３０４】
本発明は、自機器あるいは自機器とは異なる他の機器が有する機能が使用可能な状況である旨を、適切なタイミングでユーザに通知できるので、スロットが設けられ、電子化された機能説明を表示させることが可能な電子機器、例えばテレビ、記録再生装置（ＢＤレコーダ、ＤＶＤレコーダなど）などの家電製品や、ＰＣ、ＰＤＡなどに広く適用することができる。
【符号の説明】
【０３０５】
１    電子機器
２    電子機器
１０  記録再生装置
１４  記憶部（第２情報記録媒体、第３情報記録媒体）
２０  再生装置
２２  再生制御部（再生制御手段）
２４  使用状況確認部（判定手段）
４２  再生制御部（第２再生制御手段）
４４  使用状況確認部（第２判定手段）
９０  磁気ディスク（第１情報記録媒体、情報記録媒体）
１００  光ディスク（第１情報記録媒体、情報記録媒体）
２３１  登録情報記録部（登録情報記録手段）
２３２  取得情報記録部（取得情報記録手段）
２７２  使用通知制御部（通知制御手段）
２７１  機能情報表示制御部（提示制御手段）
４７２  使用通知制御部（第２通知制御手段）
【図１】
2011086332.tif 000003
【図２】
2011086332.tif 000004
【図３】
2011086332.tif 000005
【図４】
2011086332.tif 000006
【図５】
2011086332.tif 000007
【図６】
2011086332.tif 000008
【図７】
2011086332.tif 000009
【図８】
2011086332.tif 000010
【図９】
2011086332.tif 000011
【図１０】
2011086332.tif 000012